(57)【要約】【課題】ＮＦＣアンテナの内側に高速データ通信用アンテナを一括形成するシステムにおいて、ＮＦＣＩＰ−１仕様に準拠しつつ高速データ通信を行なう。【解決手段】小アンテナを用いた高速通信時においてもＮＦＣＩＰ−１プロトコルにおけるＤａｔａ  Ｅｘｃｈａｎｇｅコマンド（ＤＥＰ＿ＲＥＱ、ＤＥＰ＿ＲＥＳ）以外の処理を行なう際には、すべて既存のＮＦＣ方式を用いる。パッシブ型相互通信の際には各ＤＥＰ＿ＲＥＱ／ＤＥＰ＿ＲＥＳコマンド送出直後、アクティブ方相互通信の際には各ＤＥＰ＿ＲＥＱ／ＤＥＰ＿ＲＥＳコマンド送出直後からＮＦＣキャリアを停止するまでの期間に、小アンテナを用いた高速通信を行なう。【選択図】  図１
2010130242.tif 000002
【特許請求の範囲】
【請求項１】
イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、
第２のアンテナを用いて第２の周波数帯で無線通信動作を行なう第２の通信処理部と、
前記第１及び第２の通信処理部の動作を制御する制御部と、
を具備し、
前記第１の通信プロトコルは、前記イニシエーターと前記ターゲット間で、データ交換を開始するための要求及び応答コマンド交換手順を行なうデータ交換開始準備フェーズと、データ交換を行なうためのデータ交換要求及び応答コマンド交換手順を行なうデータ交換フェーズを規定し、
前記制御部は、前記データ交換フェーズにおいて、前記データ交換要求及び応答コマンド交換手順を行なうように前記第１の通信処理部を制御するとともに、前記第２の通信処理部でデータ転送を行なうように制御する、
ことを特徴とする通信装置。
【請求項２】
前記第１の通信プロトコルは、ＩＳＯ／ＩＥＣ  ＩＳ  １８０９２で規定されるＮＦＣＩＰ−１仕様に従い、
前記制御部は、ＤＥＰフェーズ以外の処理はすべて前記第１の通信処理部を用いてＮＦＣ  ＩＰ−１通信にて行ない、ＤＥＰフェーズでは、前記第１の通信処理部を用いてＤＥＰ＿ＲＥＱ／ＤＥＰ＿ＲＥＳコマンド・シーケンスを実行しながら、前記第２の通信処理部の間でデータ転送を行なうように制御する、
ことを特徴とする請求項１に記載の通信装置。
【請求項３】
前記第１の通信プロトコルでは、前記イニシエーターによるデータ交換要求コマンド送信完了から前記ターゲットによるデータ交換応答コマンド送信開始までの時間、前記ターゲットによるデータ交換応答コマンド送信完了から前記イニシエーターによる次のデータ交換応答コマンド送信開始までの時間を明確に規定しておらず、
前記制御部は、
前記第１の通信処理部をパッシブ型相互通信におけるイニシエーターとして動作させ、
前記第１の通信プロトコルのデータ交換フェーズにおいて、前記第１の通信処理部がデータ交換要求コマンドを送出した直後に、前記第２の通信処理部によるデータ転送を開始する、
ことを特徴とする請求項１に記載の通信装置。
【請求項４】
前記第１の通信プロトコルでは、前記イニシエーターによるデータ交換要求コマンド送信完了から前記ターゲットによるデータ交換応答コマンド送信開始までの時間、前記ターゲットによるデータ交換応答コマンド送信完了から前記イニシエーターによる次のデータ交換応答コマンド送信開始までの時間を明確に規定しておらず、
前記制御部は、
前記第１の通信処理部をパッシブ型相互通信におけるターゲットとして動作させ、
前記第１の通信プロトコルのデータ交換フェーズにおいて、前記第１の通信処理部がデータ交換応答コマンドを送出した直後に、前記第２の通信処理部によるデータ転送を開始する、
ことを特徴とする請求項１に記載の通信装置。
【請求項５】
前記第１の通信プロトコルでは、前記イニシエーターによるデータ交換要求コマンド送信完了から前記ターゲットによるデータ交換応答コマンド送信開始までの時間、前記ターゲットによるデータ交換応答コマンド送信完了から前記イニシエーターによる次のデータ交換応答コマンド送信開始までの時間、アクティブ型相互通信におけるデータ交換要求及び応答コマンドでの送信データ変調完了から無線信号送出停止までの時間を明確に規定しておらず、
前記制御部は、
前記第１の通信処理部をアクティブ型相互通信におけるイニシエーターとして動作させ、
前記第１の通信プロトコルのデータ交換フェーズにおいて、前記第１の通信処理部がデータ交換要求コマンドを送出してから無線信号の送出を停止するまでの期間において、前記第２の通信処理部によるデータ転送を実行する、
ことを特徴とする請求項１に記載の通信装置。
【請求項６】
前記第１の通信プロトコルでは、前記イニシエーターによるデータ交換要求コマンド送信完了から前記ターゲットによるデータ交換応答コマンド送信開始までの時間、前記ターゲットによるデータ交換応答コマンド送信完了から前記イニシエーターによる次のデータ交換応答コマンド送信開始までの時間、アクティブ型相互通信におけるデータ交換要求及び応答コマンドでの送信データ変調完了から無線信号送出停止までの時間を明確に規定しておらず、
前記制御部は、
前記第１の通信処理部をアクティブ型相互通信におけるターゲットとして動作させ、
前記第１の通信プロトコルのデータ交換フェーズにおいて、前記第１の通信処理部がデータ交換応答コマンドを送出してから無線信号の送出を停止するまでの期間において、前記第２の通信処理部によるデータ転送を実行する、
ことを特徴とする請求項１に記載の通信装置。
【請求項７】
前記第１の通信処理部がデータ交換要求コマンド内に当該送信直後に開始する前記第２の通信処理部による通信の形態を記載する、
ことを特徴とする３又は５のいずれかに記載の通信装置。
【請求項８】
前記第１の通信処理部がデータ交換応答コマンド内に、当該送信直後に開始する前記第２の通信処理部による通信の形態を記載する、
ことを特徴とする４又は６のいずれかに記載の通信装置。
【請求項９】
前記第１の通信プロトコルでは、前記イニシエーターによるデータ交換要求コマンド送信完了から前記ターゲットによるデータ交換応答コマンド送信開始までのタイムアウト時間が規定されており、
前記制御部は、前記第１の通信処理部をイニシエーターとして動作させ、前記第１の通信処理部がデータ交換要求コマンドを送出した直後から前記第２の通信処理部によるデータ転送を継続して実行するとともに、データ交換応答コマンドを受信した後、さらに前記第２の通信処理部によるデータ転送を継続する場合には、前記第１の通信処理部から見せかけのデータ交換応答コマンドを送信する、
ことを特徴とする請求項１に記載の通信装置。
【請求項１０】
前記第１の通信プロトコルでは、前記イニシエーターによるデータ交換要求コマンド送信完了から前記ターゲットによるデータ交換応答コマンド送信開始までのタイムアウト時間が規定されており、
前記制御部は、前記第１の通信処理部をターゲットとして動作させ、前記第２の通信処理部がデータ転送を継続している間、データ交換要求コマンドを受信してから前記タイムアウト時間が消滅する前に、前記第１の通信処理部から見せかけのデータ交換応答コマンドを送信する、
ことを特徴とする請求項１に記載の通信装置。
【請求項１１】
イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部を備えた通信装置の制御方法であって、
前記第１の通信プロトコルは、前記イニシエーターと前記ターゲット間で、データ交換を開始するための要求及び応答コマンド交換手順を行なうデータ交換開始準備フェーズと、データ交換を行なうためのデータ交換要求及び応答コマンド交換手順を行なうデータ交換フェーズを規定し、
前記第１の通信処理部がパッシブ型相互通信におけるイニシエーターとして動作する際に、前記第１の通信プロトコルのデータ交換フェーズにおいて、
前記第１の通信処理部からデータ交換要求コマンドを送出するステップと、
データ交換要求コマンドを送出した直後に、前記第２の通信処理部によるデータ転送を開始するステップと、
を有することを特徴とする通信方法。
【請求項１２】
イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部を備えた通信装置を制御するための処理をコンピューター上で実行するようにコンピューター可読形式で記述されたコンピューター・プログラムであって、
前記第１の通信プロトコルは、前記イニシエーターと前記ターゲット間で、データ交換を開始するための要求及び応答コマンド交換手順を行なうデータ交換開始準備フェーズと、データ交換を行なうためのデータ交換要求及び応答コマンド交換手順を行なうデータ交換フェーズを規定し、
前記第１の通信処理部がパッシブ型相互通信におけるイニシエーターとして動作する際に、前記第１の通信プロトコルのデータ交換フェーズにおいて、前記コンピューターに対し、
前記第１の通信処理部からデータ交換要求コマンドを送出するステップと、
データ交換要求コマンドを送出した直後に、前記第２の通信処理部によるデータ転送を開始するステップと、
を実行させるためのコンピューター・プログラム。
【請求項１３】
イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部を備えた通信装置を制御するための処理をコンピューター上で実行するようにコンピューター可読形式で記述されたコンピューター・プログラムであって、
前記第１の通信プロトコルは、前記イニシエーターと前記ターゲット間で、データ交換を開始するための要求及び応答コマンド交換手順を行なうデータ交換開始準備フェーズと、データ交換を行なうためのデータ交換要求及び応答コマンド交換手順を行なうデータ交換フェーズを規定し、
前記第１の通信処理部がパッシブ型相互通信におけるターゲットとして動作する際に、前記第１の通信プロトコルのデータ交換フェーズにおいて、前記コンピューターに対し、
前記第１の通信処理部からデータ交換応答コマンドを送出するステップと、
データ交換応答コマンドを送出した直後に、前記第２の通信処理部によるデータ転送を開始するステップと、
を実行させるためのコンピューター・プログラム。
【請求項１４】
イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部を備えた通信装置を制御するための処理をコンピューター上で実行するようにコンピューター可読形式で記述されたコンピューター・プログラムであって、
前記第１の通信プロトコルでは、前記イニシエーターによるデータ交換要求コマンド送信完了から前記ターゲットによるデータ交換応答コマンド送信開始までの時間、前記ターゲットによるデータ交換応答コマンド送信完了から前記イニシエーターによる次のデータ交換応答コマンド送信開始までの時間、アクティブ型相互通信におけるデータ交換要求及び応答コマンドでの送信データ変調完了から無線信号送出停止までの時間を明確に規定しておらず、
前記第１の通信処理部がアクティブ型相互通信におけるイニシエーターとして動作する際に、前記第１の通信プロトコルのデータ交換フェーズにおいて、前記コンピューターに対し、
前記第１の通信処理部がデータ交換要求コマンドを送出するステップと、
データ交換要求コマンドを送出してから無線信号の送出を停止するまでの期間において、前記第２の通信処理部によるデータ転送を実行するステップと、
を実行させるためのコンピューター・プログラム。
【請求項１５】
イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部を備えた通信装置を制御するための処理をコンピューター上で実行するようにコンピューター可読形式で記述されたコンピューター・プログラムであって、
前記第１の通信プロトコルでは、前記イニシエーターによるデータ交換要求コマンド送信完了から前記ターゲットによるデータ交換応答コマンド送信開始までの時間、前記ターゲットによるデータ交換応答コマンド送信完了から前記イニシエーターによる次のデータ交換応答コマンド送信開始までの時間、アクティブ型相互通信におけるデータ交換要求及び応答コマンドでの送信データ変調完了から無線信号送出停止までの時間を明確に規定しておらず、
前記第１の通信処理部がアクティブ型相互通信におけるターゲットとして動作する際に、前記第１の通信プロトコルのデータ交換フェーズにおいて、前記コンピューターに対し、
前記第１の通信処理部がデータ交換応答コマンドを送出するステップと、
データ交換応答コマンドを送出してから無線信号の送出を停止するまでの期間において、前記第２の通信処理部によるデータ転送を実行するステップと、
を実行させるためのコンピューター・プログラム。
【請求項１６】
イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部をそれぞれ備えた第１及び第２の通信装置を具備し、
前記第１の通信プロトコルは、前記イニシエーターと前記ターゲット間で、データ交換を開始するための要求及び応答コマンド交換手順を行なうデータ交換開始準備フェーズと、データ交換を行なうためのデータ交換要求及び応答コマンド交換手順を行なうデータ交換フェーズを規定し、
前記第１の通信装置が前記イニシエーターとして動作するとともに前記第２の通信装置が前記ターゲットとして動作して、前記データ交換フェーズにおいて、各々の前記第１の通信処理部を用いて前記データ交換要求及び応答コマンド交換手順を行なうとともに、各々の前記第２の通信処理部の間でデータ転送を行なう、
ことを特徴とする通信システム。
【発明の詳細な説明】
【技術分野】
【０００１】
本発明は、要求コマンドを送信するイニシエーターと応答コマンドを返信するターゲットの間で通信動作を行なう非接触の通信装置及び通信方法、コンピューター・プログラム、並びに通信システムに係り、特に、ＮＦＣ（Ｎｅａｒ  Ｆｉｅｌｄ  Ｃｏｍｍｕｎｉｃａｔｉｏｎ）規格に基づく非接触の通信装置及び通信方法、コンピューター・プログラム、並びに通信システムに関する。
【背景技術】
【０００２】
自ら電波の発生源を持たない通信端末が無線で通信相手となる装置へデータを送信する通信システムとしてＲＦＩＤ（Ｒａｄｉｏ  Ｆｒｅｑｕｅｎｃｙ  ＩＤｅｎｔｉｆｉｃａｔｉｏｎ）と呼ばれる非接触通信システムが知られている。ＲＦＩＤの他の呼び方として、ＩＤシステム、データ・キャリア・システムなどがあるが、世界的に共通なのがＲＦＩＤシステム、略してＲＦＩＤである。日本語に訳すると「高周波（無線）を使用した認識システム」となる。
【０００３】
ＲＦＩＤシステムは多くの非接触ＩＣカードに適用されている。ＩＣカード・システムは、トランスポンダとしてのＩＣ（Ｉｎｔｅｇｒａｔｅｄ  Ｃｉｒｃｕｉｔ）カードと、ＩＣカードからの情報の読み出しや、又はＩＣカードへの情報の書込みを行なう装置（以下、「リーダライタ」と呼ぶ）から成る。かかるＩＣカード・システムは、ＩＣカードとリーダライタ間で非接触により情報の読み書きを行なうことから利便性が高い。
【０００４】
リーダライタは、最初に電磁波を出力して相互通信を開始する（すなわち通信の主導権を握る）装置であり、「イニシエーター」とも呼ばれる。また、ＩＣカードなどトランスポンダは、イニシエーターからのコマンド（相互通信開始要求）に対してレスポンス（相互通信開始応答）を返す「ターゲット」である。パッシブ・モードではキャリア信号の向きが常にイニシエーター→ターゲットであり、アクティブ・モードではキャリア信号の向きが交互に切り換わる。以下では、リーダライタからトランスポンダへの通信を「ダウンリンク」と呼び、トランスポンダからリーダライタへの通信を「アップリンク」と呼ぶことにする。
【０００５】
ＲＦＩＤに適用可能な非接触通信方法には、静電結合方式、電磁誘導方式、電波通信方式などが挙げられる。このうち電磁誘導方式は、リーダライタ側の１次コイルとカード（若しくはトランスポンダ）側の２次コイルで構成され、これら２つのコイルの磁気的な結合によってコイル経由でデータ通信が行なわれる。具体的には、リーダライタは、１次コイルで発生する磁界を振幅変調することによってデータを送信し、トランスポンダ側ではこれを検波する。また、トランスポンダは２次コイルの負荷切り替え（Ｌｏａｄ  Ｓｗｉｔｃｈｉｎｇ：ＬＳ）により振幅変調などの変調処理を行なうことで、リーダライタへデータを送信することができる。トランスポンダ及びリーダライタの各コイルはＬＣ共振回路として動作しており、一般には、これらコイルの共振周波数を、通信に用いるキャリアの周波数に調整して共振させることにより、トランスポンダとリーダライタ間の適当な通信距離を設定することができる。なお、以下では、トランスポンダ及びリーダライタの各コイルを「アンテナ」とも呼ぶ。
【０００６】
また、ＲＦＩＤシステムは、伝送距離に応じて、密着型（０〜２ｍｍ以下：Ｃｌｏｓｅ  ｃｏｕｐｌｅｄ）、近接型（０〜１０ｃｍ以下：Ｐｒｏｘｉｍｉｔｙ）、近傍型（０〜７０ｃｍ以下：Ｖｉｃｉｎｉｔｙ）の３種類に分類することができ、それぞれＩＳＯ／ＩＥＣ１５６９３、ＩＳＯ／ＩＥＣ１４４４３、ＩＳＯ／ＩＥＣ１５６９３などの国際規格によって規定されている。このうち、ＩＳＯ／ＩＥＣ１４４４３に準拠する非接触・近接型のＩＣカード規格として、ＴｙｐｅＡ、ＴｙｐｅＢ、Ｆｅｌｉｃａ（フェリカ）（登録商標）を挙げることができる。なお、ＴｙｐｅＡはＰｈｉｌｉｐｓ社のＭｉｆａｒｅ（登録商標）に相当する。また、ＳｍａｒｔＣａｒｄとしてのカード、リーダライタはＩＳＯ７８１６として規格化されている。
【０００７】
さらに、ソニーとＰｈｉｌｉｐｓ社が開発したＮＦＣ（Ｎｅａｒ  Ｆｉｅｌｄ  Ｃｏｍｍｕｎｉｃａｔｉｏｎは、主に、上記のＴｙｐｅＡ、ＴｙｐｅＢ、Ｆｅｌｉｃａの各ＩＣカードと通信可能なＮＦＣ通信装置（リーダライタ）の仕様を規定したＲＦＩＤ規格であり、２００３年１２月にＩＳＯ／ＩＥＣ  ＩＳ  １８０９２として国際標準となった。ＮＦＣ通信方式は、元々は非接触式ＩＣカードとして広く普及しているソニーの「ＦｅｌｉＣａ」やＰｈｉｌｉｐｓ社の「Ｍｉｆａｒｅ」を継承したものであり、１３．５６ＭＨｚ帯を使い、電磁誘導方式により１０ｃｍ程度の近接型の非接触双方向通信が可能である（ＮＦＣは、カードとリーダライタ間の通信の他に、リーダライタ同士のパッシブ型通信を規定している）。
【０００８】
現在、ＮＦＣは、個人認証や電子マネー決済などに盛んに用いられている。例えば、パッシブ・モードの他にアクティブ・モードを備えたＮＦＣ通信装置について提案がなされている（例えば、特許文献１を参照のこと）。
【０００９】
ＮＦＣ  ＩＰ−１（Ｉｎｔｅｒｆａｃｅ  ａｎｄ  Ｐｒｏｔｏｃｏｌ−１）規格における転送方向、通信モード毎の通信速度や変調方式、符号化方式を、以下の表１に示しておく。
【００１０】
【表１】
2010130242.tif 000003
【００１１】
上記の表１に示すように、ＮＦＣ  ＩＰ−１規格で定められた通信速度は、最大値でも高々４２４ｋｂｐｓであり、他の汎用の無線通信（ＷｉＦｉやＢｌｕｅｔｏｏｔｈなど）と比べると非常に低速である。このため、ＮＦＣを画像や音声、動画像などの大容量データ通信へ適用することは困難である。また、キャリア周波数などの物理的な制約からも、実現可能な最高通信速度は高々８４８ｋｂｐｓまでであり、今後の飛躍的な高速化を期待することはできない。
【００１２】
このことから、ＮＦＣ通信の実際の使用用途は、電子マネーや、個人認証（ＩＤカードやチケットなど）、汎用無線通信の接続確立補助（ハンドオーバ）、若しくは、安価なタグを利用したごく小容量のデータ送信（スマートポスタなど）のみに限定されている。
【００１３】
【特許文献１】特開２００５−１６８０６９号公報
【発明の開示】
【発明が解決しようとする課題】
【００１４】
本発明の目的は、要求コマンドを送信するイニシエーターと応答コマンドを返信するターゲットの間で高速データ転送を実現することができる、優れた非接触通信装置及び通信方法、コンピューター・プログラム、並びに通信システムを提供することにある。
【００１５】
本発明のさらなる目的は、現在既に確立しているＮＦＣ通信システムとの完全な上位互換を持ちながら高速通信を実現することができる、優れた通信装置及び通信方法、コンピューター・プログラム、並びに通信システムを提供することにある。
【課題を解決するための手段】
【００１６】
本願は、上記課題を参酌してなされたものであり、請求項１に記載の発明は、
イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、
第２のアンテナを用いて第２の周波数帯で無線通信動作を行なう第２の通信処理部と、
前記第１及び第２の通信処理部の動作を制御する制御部と、
を具備し、
前記第１の通信プロトコルは、前記イニシエーターと前記ターゲット間で、データ交換を開始するための要求及び応答コマンド交換手順を行なうデータ交換開始準備フェーズと、データ交換を行なうためのデータ交換要求及び応答コマンド交換手順を行なうデータ交換フェーズを規定し、
前記制御部は、前記データ交換フェーズにおいて、前記データ交換要求及び応答コマンド交換手順を行なうように前記第１の通信処理部を制御するとともに、前記第２の通信処理部でデータ転送を行なうように制御する、
ことを特徴とする通信装置である。
【００１７】
第１の通信プロトコルは、具体的には、本願の請求項２に記載の通り、ＩＳＯ／ＩＥＣ  ＩＳ  １８０９２で規定されるＮＦＣ（Ｎｅａｒ  Ｆｉｅｌｄ  Ｃｏｍｍｕｎｉｃａｔｉｏｎ）  ＩＰ−１仕様に相当する。そして、本願の請求項９に記載の発明によれば、前記制御部は、ＤＥＰフェーズ以外の処理はすべて前記第１の通信処理部を用いてＮＦＣ  ＩＰ−１通信にて行ない、ＤＥＰフェーズでは、前記第１の通信処理部を用いてＤＥＰ＿ＲＥＱ／ＤＥＰ＿ＲＥＳコマンド・シーケンスを実行しながら、前記第２の通信処理部の間でデータ転送を行なうように制御する。
【００１８】
ＮＦＣ  ＩＰ−１仕様の第１の通信プロトコルでは、前記イニシエーターによるデータ交換要求コマンド送信完了から前記ターゲットによるデータ交換応答コマンド送信開始までの時間、前記ターゲットによるデータ交換応答コマンド送信完了から前記イニシエーターによる次のデータ交換応答コマンド送信開始までの時間を明確に規定していない。
【００１９】
これに対し、本願の請求項３に記載の発明によれば、前記制御部は、前記第１の通信処理部をパッシブ型相互通信におけるイニシエーターとして動作させ、  前記第１の通信プロトコルのデータ交換フェーズにおいて、前記第１の通信処理部がデータ交換要求コマンドを送出した直後に、前記第２の通信処理部によるデータ転送を開始するようになっている。
【００２０】
また、本願の請求項４に記載の発明によれば、前記制御部は、  前記第１の通信処理部をパッシブ型相互通信におけるターゲットとして動作させ、  前記第１の通信プロトコルのデータ交換フェーズにおいて、前記第１の通信処理部がデータ交換応答コマンドを送出した直後に、前記第２の通信処理部によるデータ転送を開始するようになっている。
【００２１】
また、ＮＦＣ  ＩＰ−１仕様の第１の通信プロトコルでは、前記イニシエーターによるデータ交換要求コマンド送信完了から前記ターゲットによるデータ交換応答コマンド送信開始までの時間、前記ターゲットによるデータ交換応答コマンド送信完了から前記イニシエーターによる次のデータ交換応答コマンド送信開始までの時間、アクティブ型相互通信におけるデータ交換要求及び応答コマンドでの送信データ変調完了から無線信号送出停止までの時間を明確に規定していない。
【００２２】
これに対し、本願の請求項５に記載の発明によれば、前記制御部は、  前記第１の通信処理部をアクティブ型相互通信におけるイニシエーターとして動作させ、  前記第１の通信プロトコルのデータ交換フェーズにおいて、前記第１の通信処理部がデータ交換要求コマンドを送出してから無線信号の送出を停止するまでの期間において、前記第２の通信処理部によるデータ転送を実行するようになっている。
【００２３】
また、本願の請求項６に記載の発明によれば、前記制御部は、  前記第１の通信処理部をアクティブ型相互通信におけるターゲットとして動作させ、  前記第１の通信プロトコルのデータ交換フェーズにおいて、前記第１の通信処理部がデータ交換応答コマンドを送出してから無線信号の送出を停止するまでの期間において、前記第２の通信処理部によるデータ転送を実行するようになっている。
【００２４】
また、本願の請求項７に記載の発明によれば、前記第１の通信処理部がデータ交換要求コマンド内に当該送信直後に開始する前記第２の通信処理部による通信の形態を記載するようになっている。
【００２５】
また、本願の請求項８に記載の発明によれば、前記第１の通信処理部がデータ交換応答コマンド内に、当該送信直後に開始する前記第２の通信処理部による通信の形態を記載するようになっている。
【００２６】
また、ＮＦＣ  ＩＰ−１仕様の第１の通信プロトコルでは、前記イニシエーターによるデータ交換要求コマンド送信完了から前記ターゲットによるデータ交換応答コマンド送信開始までのタイムアウト時間が規定されている。
【００２７】
これに対し、本願の請求項９に記載の発明によれば、前記制御部は、前記第１の通信処理部をイニシエーターとして動作させ、前記第１の通信処理部がデータ交換要求コマンドを送出した直後から前記第２の通信処理部によるデータ転送を継続して実行するとともに、データ交換応答コマンドを受信した後、さらに前記第２の通信処理部によるデータ転送を継続する場合には、前記第１の通信処理部から見せかけのデータ交換応答コマンドを送信するようになっている。
【００２８】
また、本願の請求項１０に記載の発明によれば、前記制御部は、前記第１の通信処理部をターゲットとして動作させ、前記第２の通信処理部がデータ転送を継続している間、データ交換要求コマンドを受信してから前記タイムアウト時間が消滅する前に、前記第１の通信処理部から見せかけのデータ交換応答コマンドを送信するようになっている。
【００２９】
また、本願の請求項１１に記載の発明は、イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部を備えた通信装置の制御方法であって、
前記第１の通信プロトコルは、前記イニシエーターと前記ターゲット間で、データ交換を開始するための要求及び応答コマンド交換手順を行なうデータ交換開始準備フェーズと、データ交換を行なうためのデータ交換要求及び応答コマンド交換手順を行なうデータ交換フェーズを規定し、
前記第１の通信処理部がパッシブ型相互通信におけるイニシエーターとして動作する際に、前記第１の通信プロトコルのデータ交換フェーズにおいて、
前記第１の通信処理部からデータ交換要求コマンドを送出するステップと、
データ交換要求コマンドを送出した直後に、前記第２の通信処理部によるデータ転送を開始するステップと、
を有することを特徴とする通信方法である。
【００３０】
また、本願の請求項１２に記載の発明は、イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部を備えた通信装置を制御するための処理をコンピューター上で実行するようにコンピューター可読形式で記述されたコンピューター・プログラムであって、
前記第１の通信プロトコルは、前記イニシエーターと前記ターゲット間で、データ交換を開始するための要求及び応答コマンド交換手順を行なうデータ交換開始準備フェーズと、データ交換を行なうためのデータ交換要求及び応答コマンド交換手順を行なうデータ交換フェーズを規定し、
前記第１の通信処理部がパッシブ型相互通信におけるイニシエーターとして動作する際に、前記第１の通信プロトコルのデータ交換フェーズにおいて、前記コンピューターに対し、
前記第１の通信処理部からデータ交換要求コマンドを送出するステップと、
データ交換要求コマンドを送出した直後に、前記第２の通信処理部によるデータ転送を開始するステップと、
を実行させるためのコンピューター・プログラムである。
【００３１】
また、本願の請求項１３に記載の発明は、イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部を備えた通信装置を制御するための処理をコンピューター上で実行するようにコンピューター可読形式で記述されたコンピューター・プログラムであって、
前記第１の通信プロトコルは、前記イニシエーターと前記ターゲット間で、データ交換を開始するための要求及び応答コマンド交換手順を行なうデータ交換開始準備フェーズと、データ交換を行なうためのデータ交換要求及び応答コマンド交換手順を行なうデータ交換フェーズを規定し、
前記第１の通信処理部がパッシブ型相互通信におけるターゲットとして動作する際に、前記第１の通信プロトコルのデータ交換フェーズにおいて、前記コンピューターに対し、
前記第１の通信処理部からデータ交換応答コマンドを送出するステップと、
データ交換応答コマンドを送出した直後に、前記第２の通信処理部によるデータ転送を開始するステップと、
を実行させるためのコンピューター・プログラムである。
【００３２】
また、本願の請求項１４に記載の発明は、イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部を備えた通信装置を制御するための処理をコンピューター上で実行するようにコンピューター可読形式で記述されたコンピューター・プログラムであって、
前記第１の通信プロトコルでは、前記イニシエーターによるデータ交換要求コマンド送信完了から前記ターゲットによるデータ交換応答コマンド送信開始までの時間、前記ターゲットによるデータ交換応答コマンド送信完了から前記イニシエーターによる次のデータ交換応答コマンド送信開始までの時間、アクティブ型相互通信におけるデータ交換要求及び応答コマンドでの送信データ変調完了から無線信号送出停止までの時間を明確に規定しておらず、
前記第１の通信処理部がアクティブ型相互通信におけるイニシエーターとして動作する際に、前記第１の通信プロトコルのデータ交換フェーズにおいて、前記コンピューターに対し、
前記第１の通信処理部がデータ交換要求コマンドを送出するステップと、
データ交換要求コマンドを送出してから無線信号の送出を停止するまでの期間において、前記第２の通信処理部によるデータ転送を実行するステップと、
を実行させるためのコンピューター・プログラムである。
【００３３】
また、本願の請求項１５に記載の発明は、イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部を備えた通信装置を制御するための処理をコンピューター上で実行するようにコンピューター可読形式で記述されたコンピューター・プログラムであって、
前記第１の通信プロトコルでは、前記イニシエーターによるデータ交換要求コマンド送信完了から前記ターゲットによるデータ交換応答コマンド送信開始までの時間、前記ターゲットによるデータ交換応答コマンド送信完了から前記イニシエーターによる次のデータ交換応答コマンド送信開始までの時間、アクティブ型相互通信におけるデータ交換要求及び応答コマンドでの送信データ変調完了から無線信号送出停止までの時間を明確に規定しておらず、
前記第１の通信処理部がアクティブ型相互通信におけるターゲットとして動作する際に、前記第１の通信プロトコルのデータ交換フェーズにおいて、前記コンピューターに対し、
前記第１の通信処理部がデータ交換応答コマンドを送出するステップと、
データ交換応答コマンドを送出してから無線信号の送出を停止するまでの期間において、前記第２の通信処理部によるデータ転送を実行するステップと、
を実行させるためのコンピューター・プログラムである。
【００３４】
本願の請求項１２乃至１５に係るコンピューター・プログラムは、コンピューター上で所定の処理を実現するようにコンピューター可読形式で記述されたコンピューター・プログラムを定義したものである。換言すれば、本願の請求項１２乃至１５に係るコンピューター・プログラムをコンピューターにインストールすることによって、コンピューター上では協働的作用が発揮され、本願の請求項１に係る通信装置と同様の作用効果を得ることができる。
【００３５】
また、本願の請求項１６に記載の発明は、
イニシエーターからの要求コマンドを送信しターゲットから応答コマンドを受信する通信手順及び無線信号の衝突回避機能を規定した第１の通信プロトコルに従って第１のアンテナを用いて第１の周波数帯で無線通信動作を行なう第１の通信処理部と、第２のアンテナを用いて第２の周波数帯で無線通信動作を行なう第２の通信処理部をそれぞれ備えた第１及び第２の通信装置を具備し、
前記第１の通信プロトコルは、前記イニシエーターと前記ターゲット間で、データ交換を開始するための要求及び応答コマンド交換手順を行なうデータ交換開始準備フェーズと、データ交換を行なうためのデータ交換要求及び応答コマンド交換手順を行なうデータ交換フェーズを規定し、
前記第１の通信装置が前記イニシエーターとして動作するとともに前記第２の通信装置が前記ターゲットとして動作して、前記データ交換フェーズにおいて、各々の前記第１の通信処理部を用いて前記データ交換要求及び応答コマンド交換手順を行なうとともに、各々の前記第２の通信処理部の間でデータ転送を行なう、
ことを特徴とする通信システムである。
【００３６】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００３７】
また、第１の通信プロトコルは、具体的にはＩＳＯ／ＩＥＣ  ＩＳ  １８０９２で規定されるＮＦＣ（Ｎｅａｒ  Ｆｉｅｌｄ  Ｃｏｍｍｕｎｉｃａｔｉｏｎ）  ＩＰ−１仕様に相当する。第２の通信処理部が適用する通信方式について、特許請求の範囲には直接の記載はないが、例えば反射波通信（Ｒｅｆｌｅｘ）や、微弱ＵＷＢ通信（Ｔｒａｎｓｆｅｒ  ＪＥＴ）といった（後述）、ＮＦＣ通信よりも高周波数帯を使用し高速データ通信が可能な近接通信方式を利用することができる。この場合、前記第１の通信装置が前記イニシエーターとして動作するとともに前記第２の通信装置が前記ターゲットとして動作して、ＤＥＰ（Ｄａｔａ  Ｅｘｃｈａｎｇｅ  Ｐｒｏｔｏｃｏｌ）フェーズ以外の処理はすべて各々の前記第１の通信処理部を用いてＮＦＣ  ＩＰ−１通信にて行ない、ＤＥＰフェーズでは、各々の前記第１の通信処理部を用いてＤＥＰ＿ＲＥＱ／ＤＥＰ＿ＲＥＳコマンド・シーケンスを実行しながら、各々の前記第２の通信処理部の間でデータ転送を行なう。
【００３８】
ここで、第１及び第２の通信装置各々の前記第１の通信処理部の間では、パッシブ型相互通信、並びにアクティブ型相互通信を行なうことができるものとする。そして、前記第１の通信プロトコルでは、前記イニシエーターによるデータ交換要求コマンド送信完了から前記ターゲットによるデータ交換応答コマンド送信開始までの時間、前記ターゲットによるデータ交換応答コマンド送信完了から前記イニシエーターによる次のデータ交換応答コマンド送信開始までの時間を明確に規定していないとする。
【００３９】
このような場合、前記データ交換フェーズにおいて、前記第１の通信装置は、前記第１の通信処理部が前記イニシエーターとしてデータ交換要求コマンドを送出した直後に、前記第２の通信処理部によるデータ転送を開始することができる。また、前記第２の通信装置は、前記第１の通信処理部が前記ターゲットとしてデータ交換応答コマンドを送出した直後に、前記第２の通信処理部によるデータ転送を開始することができる。
【００４０】
また、前記データ交換フェーズにおいて、前記第１の通信装置は、前記第１の通信処理部が前記イニシエーターとしてデータ交換要求コマンドを送出してから無線信号の送出を停止するまでの期間において、前記第２の通信処理部によるデータ転送を実行することができる。また、前記第２の通信装置は、前記第１の通信処理部が前記ターゲットとしてデータ交換応答コマンドを送出し手から無線信号の送出を停止するまでの期間において、前記第２の通信処理部によるデータ転送を実行することができる。
【００４１】
また、前記第１及び第２の通信装置の間で、前記第２の通信処理部を用いた通信の形態を、当該通信開始前の前記第１の通信処理部を用いた前記データ交換要求及び応答コマンド交換手順を通じて決定するように構成するようにしてもよい。
【００４２】
また、前記第１の通信装置は、前記第１の通信処理部が前記イニシエーターとして送信するデータ交換要求コマンド内に、当該送信直後に開始する前記第２の通信処理部による通信の形態を記載し、また、前記第２の通信装置は、前記第１の通信処理部が前記ターゲットとして送信するデータ交換応答コマンド内に、当該送信直後に開始する前記第２の通信処理部による通信の形態を記載するようにしてもよい。
【００４３】
また、前記第１の通信装置は、前記第１の通信処理部が前記イニシエーターとしてデータ交換要求コマンドを送出した直後から、前記第２の通信処理部によるデータ転送を継続して実行するように構成してもよい。ここで、前記第１の通信装置の前記第２の通信処理部がデータ転送を継続している間、前記第２の通信装置は、前記第１の通信プロトコルで規定されているタイムアウト時間が消滅する前に、前記第１の通信処理部から見せかけのデータ交換応答コマンドを送信するようになっている。そして、前記第１の通信装置は、前記見せかけのデータ交換応答コマンドを受信した後、さらに前記第２の通信処理部によるデータ転送を継続する場合には、前記第１の通信処理部から見せかけのデータ交換応答コマンドを送信する。
【発明の効果】
【００４４】
本発明によれば、現在既に確立しているＮＦＣ通信システムとの完全な上位互換を持ちながら高速通信を実現することができる、優れた通信装置及び通信方法、コンピューター・プログラム、並びに通信システムを提供することができる。
【００４５】
また、本発明によれば、ＮＦＣ通信用の大アンテナの内側に高速通信用の小アンテナを装備し、従来のＮＦＣ規格と完全な互換性を持ちながら高速通信を実現することができる、優れた通信装置及び通信方法、コンピューター・プログラム、並びに通信システムを提供することができる。
【００４６】
本願の請求項１、１６に記載の発明によれば、第１のアンテナ（若しくは第１の周波数帯）を用いた通信路上では、第１及び第２の通信装置の間では第１の通信プロトコルを完全に満たした要求及び応答コマンド交換手順が実施されることから、第１のアンテナの通信可能範囲に、同様に第２のアンテナ（若しくは第２の周波数帯）を用いる他の通信システムや、第１の通信プロトコルに従う他の通信システムが存在しても、第１の通信プロトコルに関しては問題なく動作することができる。また、本願の請求項２に記載の発明によれば、第１及び第２の通信システム間のＮＦＣ通信路上では、ＮＦＣ  ＩＰ−１仕様を完全に満たしたコマンド・シーケンスが実施されることから、第１のアンテナの通信可能範囲に、同様に第２のアンテナ（若しくは第２の周波数帯）を用いるが通信方式が異なる他の通信システムや、旧来のＮＦＣ通信装置が複数存在しても、ＮＦＣ  ＩＰ−１通信に関しては問題なく動作することができる。
【００４７】
また、本願の請求項２に記載の発明によれば、ＤＥＰフェーズ以外の処理はすべてＮＦＣ  ＩＰ−１通信にて行なうので、第２の通信処理部による高速通信を実現する際に、Ｄａｔａ  Ｅｘｃｈａｎｇｅ以外の部分については独自プロトコル体系を新たに構築する必要がない。
【００４８】
また、本願の請求項２に記載の発明によれば、各通信装置において第１及び第２の通信処理部の直近上位層として実装するプログラム（ファームウェア）において、Ｄａｔａ  Ｅｘｃｈａｎｇｅ以外の部分については既存のＮＦＣ  ＩＰ−１通信用のモジュールをそのまま利用することができる。例えば、第１並びに第２の通信装置に接続されるホスト機器で実装するアプリケーションのプログラムを、高速通信の物理的方式に応じて変更する必要はほとんどない。逆に、アプリケーション層からの視点で言及するならば、下位の通信路の物理的特性を意識することなく構築することができ、既存のＮＦＣ通信用のアプリケーションをほぼそのまま使用することが可能である。下位の通信路の差異は、アプリケーション層には影響せず、通信速度などの性能として現れる。
【００４９】
また、本願の請求項２に記載の発明によれば、各通信装置の第２の通信処理部を用いて高速データ転送を実施する際に、既存のＮＦＣ  ＩＰ−１通信との仕様は矛盾せず、且つ、既存のＮＦＣ  ＩＰ−１通信との連続性を保つことができる。
【００５０】
本願の請求項３、４、５、６、１１乃至１６に記載の発明によれば、第１のアンテナ（若しくは第１の周波数帯）を用いた通信路上では、第１の通信プロトコルに完全に準拠したデータ交換要求及び応答コマンドが行き来し、第２のアンテナ（若しくは第２の周波数帯）を用いた通信路上では、このデータ交換要求及び応答コマンドの送受信タイミングに同期して、実際の転送データを伝送することができる。また、データ交換要求又は応答コマンドを送信した直後に、第２のアンテナ（若しくは第２の周波数帯）を用いた通信路上で通信を行なうことにより、当該高速通信を開始する時点でのイニシエーターとターゲットの１対１対応を保証することができる。また、第１のアンテナ（若しくは第１の周波数帯）を用いた通信路上では、第１の通信プロトコルに完全に準拠したコマンド・シーケンスが実施されることから、第１のアンテナの通信可能範囲に、同様に第２のアンテナ（若しくは第２の周波数帯）を用いるが通信方式が異なる他の通信システムや、旧来のＮＦＣ通信装置が複数存在しても、ＮＦＣ  ＩＰ−１通信に関しては問題なく動作することができる。
【００５１】
また、本願の請求項７、８に記載の発明によれば、通信相手となった通信装置の間で、前記第２の通信処理部を用いた通信の形態を、毎回の通信で決定し変更することができる。
【００５２】
また、本願の請求項９、１０に記載の発明によれば、通信相手となった通信装置の間では、各々の第１の通信処理部を用いて見せかけのデータ交換要求及び応答コマンド・シーケンスを繰り返すことで、第１の通信プロトコルで規定されるタイムアウトを回避しながら、各々の第２の通信処理部を用いてストリーミングなど長時間にわたるデータ通信を行なうことができる。
【００５３】
本発明のさらに他の目的、特徴や利点は、後述する本発明の実施形態や添付する図面に基づくより詳細な説明によって明らかになるであろう。
【発明を実施するための最良の形態】
【００５４】
以下、図面を参照しながら本発明の実施形態について詳解する。
【００５５】
まず、既存のＮＦＣ  ＩＰ−１仕様におけるＮＦＣ  Ｒ／Ｗ（リーダ／ライタ）間相互通信（Ｄａｔａ  Ｅｘｃｈａｎｇｅ）の概要について説明する（詳細については、ＩＳＯ／ＩＥＣ  ＩＳ  １８０９２を参照されたい）。
【００５６】
ＮＦＣ通信装置（Ｒ／Ｗ）は、パッシブ・モードとアクティブ・モードという２つの通信モードを持つ。パッシブ・モードでは、通信相手が発生する電磁波（に対するキャリア）に負荷変調をかけることによってデータを送信する。一方のアクティブ・モードでは、自身が発生する電磁波（に対するキャリア）を変調することによってデータを送信する。また、最初に電磁波を出力して相互通信を開始する（すなわち通信の主導権を握る）装置のことを「イニシエーター」と呼び、イニシエーターからのコマンド（相互通信開始要求）に対してレスポンス（相互通信開始応答）を返す通信相手のことを「ターゲット」と呼ぶ。パッシブ・モードではキャリア信号の向きが常にイニシエーター→ターゲットであり、アクティブ・モードではキャリア信号の向きが交互に切り換わる。
【００５７】
図１２には、ＮＦＣ  ＩＰ−１に準拠したパッシブ型相互通信システムの構成例を模式的に示している。
【００５８】
イニシエーターは、リーダライタ・モードで動作するＮＦＣ通信装置である。このＮＦＣ通信装置は、ＵＡＲＴ（Ｕｎｉｖｅｒａｌ  Ａｓｙｎｃｈｒｏｎｏｕｓ  Ｒｅｃｅｉｖｅｒ−Ｔｒａｎｓｍｉｔｔｅｒ：万能非同期送受信機）若しくはその他のホスト・インターフェースを介してホスト機器に接続されている。ホスト機器は、パーソナル・コンピュータ（ＰＣ）やＲ／Ｗ内部の組み込みＣＰＵ（Ｃｅｎｔｒａｌ  Ｐｒｏｃｅｓｓｉｎｇ  Ｕｎｉｔ）に相当する。
【００５９】
また、ターゲットは、カード・モードで動作するＮＦＣ通信装置であり、ＵＡＲＴ若しくはその他のホスト・インターフェースを介してホスト機器に接続されている。ホスト機器は、ＰＣやＲ／Ｗ内部の組み込みＣＰＵに相当する（ターゲットは、ＮＦＣ対応カードなどのトランスポンダであることもあるが、本実施形態では想定していない）。
【００６０】
パッシブ型相互通信では、イニシエーターは、自らの発する１３．５６ＭＨｚのキャリア信号をＡＳＫ（Ａｍｐｌｉｔｕｄｅ  Ｓｈｉｆｔ  Ｋｅｙｉｎｇ）変調することによって送信データを重畳して、ターゲットに伝える。これに対し、ターゲットは、イニシエーターの送出する１３．５６ＭＨｚのむ変調キャリアに負荷変調を加えることによって、送信データをイニシエーターへ伝える。なお、アクティブ型相互通信では、イニシエーターもターゲットも自らの発する１３．５６ＭＨｚのキャリア信号をＡＳＫ変調することによって送信データを重畳して、通信相手に伝える。
【００６１】
イニシエーターは、ホスト機器から通信開始コマンドを受けると（図１２中の（１））、まずキャリア電波を送出する。その後、イニシエーターは、通信可能空間にターゲットが存在するかどうかを確認するため、規格に定められた方法（キャリア周波数、データ変調速度、データ内容）により、応答要求信号を送信する（図１２中の（２））。
【００６２】
これに対し、ターゲットは、まずイニシエーターが送出するキャリアの誘導起電力によって電力を供給されて起動し受信可能状態となり、その後、イニシエーターから送られてくる応答要求信号を受信する。そして、ターゲットは、受信した応答要求信号が自らのタイプに合致する信号であれば、規格に定められた方法（データ変調速度、返信タイミング、データ内容）で自らの識別情報を含む応答信号を、イニシエーターからの無変調キャリアへ負荷変調をかけることによって応答する（図１２中の（３））。
【００６３】
そして、イニシエーターは、ターゲットからの応答信号を受信すると、その情報をホスト機器に伝達する（図１２中の（４））。ホスト機器は、通信可能空間に存在するターゲットの個数及び各々の識別情報を認識すると、動作プログラム（ファームウェア）に従って特定のターゲットとの通信フェーズへ移行する。これによって、パッシブ型相互通信が確立する。通信が確立した後は、イニシエーターは必要な通信が終了するまで常にキャリア電波を出し続け、ターゲットに対し必要な電力を送る。
【００６４】
上述した応答要求動作と同様、データ通信時にも、イニシエーターからターゲットへキャリア電波の強度変調、ターゲットからイニシエーターヘ無変調キャリアの負荷変調によってデータ伝送を行なう。但し、符号化方式は通信モードに応じて異なるので、前述した表１を参照されたい。
【００６５】
以下の表２には、ＮＦＣ  ＩＰ−１プロトコルにおけるコマンド・セットを示している。ＮＦＣＩＰ−１コマンドはパッシブ型及びアクティブ型相互通信で共通であり、内容も同一である。
【００６６】
【表２】
2010130242.tif 000004
【００６７】
表２に記載されている各コマンドは必ずイニシエーターより発行され（＊＊＊＿ＲＥＱ）、ターゲットはコマンドに対応した適切な処理を行ない、適切なデータ内容を載せてレスポンスを返す（＊＊＊＿ＲＥＳ）。但し、“＊＊＊”には鼓膜止め異が記載される。ターゲット側からコマンドを発行することはできない。ＮＦＣＩＰ−１プロトコルより下層の物理仕様によりパケット長を示すＬＥＮ（１バイト）が規定されており、ＮＦＣＩＰ−１パケットの長さは１〜２５５バイトに制限されている。
【００６８】
図１３には、パッシブ型相互通信のコマンド状態遷移図を示している。
【００６９】
まず、ＮＦＣ通信装置は、初期の無線信号（ＲＦ）の衝突回避（ＣＡ：Ｃｏｌｌｉｓｉｏｎ  Ａｖｏｉｄａｎｃｅ）を行なう（ステップＳ１）。
【００７０】
次いで、ＮＦＣ通信装置は、パッシブ型通信のイニシエーターに切り換わると（ステップＳ２）、初期化、並びに、通信相手を特定するためのＳＤＤ（Ｓｉｎｇｌｅ  Ｄｅｖｉｃｅ  Ｄｅｔｅｃｔｉｏｎ）ループ処理を実行する（ステップＳ３）。
【００７１】
次いで、このイニシエーターは、特定された通信相手が同様にパッシブ型ＮＦＣ通信装置で動作するターゲットであり、属性（Ａｔｔｒｉｂｕｔｅ）を要求するか否かを判別する（ステップＳ４）。ここで、ターゲットに属性を要求しないときには（ステップＳ４のＮｏ）、独自仕様のプロトコル（Ｐｒｏｐｒｉｅｔａｒｙ  ｐｒｏｔｏｃｏｌ）で通信を行ない（ステップＳ６）、これが終了すると、ステップＳ３に戻ってＳＤＤループを再び行ない、新たな通信相手を探索する。
【００７２】
他方、ターゲットに属性を要求するときには、イニシエーターは、ターゲットに対し属性要求（ＡＴＲ＿ＲＥＱ）コマンドを送信して（ステップＳ６）、タイムアウト時間を設定するとともに、ターゲットから属性応答（ＡＴＲ＿ＲＥＳ）コマンドを受信して（ステップＳ７）、最高通信速度を確認する。また、通信パラメーターを変更するときには（ステップＳ８のＹｅｓ）、イニシエーターは、通信相手にパラメーター選択要求（ＰＳＬ＿ＲＥＱ）コマンドを送信し（ステップＳ９）、ターゲットからパラメーター選択応答（ＰＳＬ＿ＲＥＳ）コマンドを受信して（ステップＳ１０）、通信パラメーターを変更する（ステップＳ１１）。
【００７３】
このようにして、イニシエーターは、ターゲットとの間でＤＥＰ（Ｄａｔａ  Ｅｘｃｈａｎｇｅ  Ｐｒｏｔｏｃｏｌ）と呼ばれるステートに移行して、パッシブ型相互通信によるデータ交換が行なわれる（ステップＳ１２）。
【００７４】
その後、イニシエーターは、通信相手を切り替えたいときには、ターゲットに対し選択解除要求（ＤＳＬ＿ＲＥＱ）コマンドを送信し（ステップＳ１３）、ターゲットから選択解除応答（ＤＳＬ＿ＲＥＳ）コマンドを受信すると（ステップＳ１４）、ターゲットの選択が解除される。その後、ステップＳ３に戻ってＳＤＤループを再び行ない、新たな通信相手を探索する。
【００７５】
また、イニシエーターは、パッシブ型相互通信のイニシエーターとしての無線通信動作自体を解除したいときには、ターゲットに対し解除要求（ＲＬＳ＿ＲＥＱ）コマンドを送信し（ステップＳ１５）、ターゲットから解除応答（ＲＬＳ＿ＲＥＳ）コマンドを受信すると（ステップＳ１６）、当該通信状態を解除する。その後、このＮＦＣ通信装置は、ステップＳ１に戻り、初期の無線信号の衝突回避（ＲＦＣＡ）を行なう。
【００７６】
図１４Ａ〜図１４Ｂには、パッシブ型ＮＦＣ相互通信システムにおける、ＤＥＰフェーズでのファームウェア制御手順を図解している。
【００７７】
まず、イニシエーターは、ＮＦＣキャリアを送出し（図１４Ａを参照）、所定のガード時間経過後に、ＤＥＰ＿ＲＥＱコマンドをＡＳＫ変調信号で送信する（図１４Ｂを参照）。
【００７８】
これに対し、ターゲットは、イニシエーターからのＤＥＰ＿ＲＥＱコマンドの正常受信を確認した後、イニシエーターから送出される無変調ＮＦＣキャリアを負荷変調して、ＤＥＰ＿ＲＥＳコマンドを送信する（図１４Ｃを参照）。その後、通信システムは、図１４Ａに示した状態に戻る。
【００７９】
また、図１５には、アクティブ型相互通信のコマンド状態遷移図を示している。
【００８０】
まず、ＮＦＣ通信装置は、初期の無線信号の衝突回避（ＲＦＣＡ）を行なう（ステップＳ２１）。
【００８１】
次いで、ＮＦＣ通信装置は、アクティブ型通信のイニシエーターに切り換わると（ステップＳ２２）、ターゲットに対し属性要求（ＡＴＲ＿ＲＥＱ）コマンドを送信して（ステップＳ２３）、タイムアウト時間を設定するとともに、ターゲットから属性応答（ＡＴＲ＿ＲＥＳ）コマンドを受信して（ステップＳ２４）、最高通信速度を確認する。
【００８２】
また、イニシエーターは、通信パラメーターを変更するときには（ステップＳ２５のＹｅｓ）、イニシエーターは、通信相手にパラメーター選択要求（ＰＳＬ＿ＲＥＱ）コマンドを送信し（ステップＳ２６）、ターゲットからパラメーター選択応答（ＰＳＬ＿ＲＥＳ）コマンドを受信して（ステップＳ２７）、通信パラメーターを変更する（ステップＳ２８）。
【００８３】
このようにして、イニシエーターは、ターゲットとの間でＤＥＰ（Ｄａｔａ  Ｅｘｃｈａｎｇｅ  Ｐｒｏｔｏｃｏｌ）と呼ばれるステートに移行して、パッシブ型相互通信によるデータ交換が行なわれる（ステップＳ２９）。
【００８４】
その後、イニシエーターは、通信相手を切り替えたいときには、ターゲットに対し選択解除要求（ＤＳＬ＿ＲＥＱ）コマンドを送信し（ステップＳ３０）、ターゲットから選択解除応答（ＤＳＬ＿ＲＥＳ）コマンドを受信すると（ステップＳ３１）、ターゲットの選択が解除される。次いで、イニシエーターは、新しい通信相手となるターゲットに起動要求（ＷＵＰ＿ＲＥＱ）を送信し（ステップＳ３２）、ターゲットから起動応答（ＷＵＰ＿ＲＥＳ）コマンドを受信する（ステップＳ３３）。また、新しい通信相手と通信パラメーターを変更するときには（ステップＳ２５のＹｅｓ）、同様にステップＳ２６〜Ｓ２８を実行する。
【００８５】
また、イニシエーターは、アクティブ型相互通信のイニシエーターとしての無線通信動作自体を解除したいときには、ターゲットに対し解除要求（ＲＬＳ＿ＲＥＱ）コマンドを送信し（ステップＳ３４）、ターゲットから解除応答（ＲＬＳ＿ＲＥＳ）コマンドを受信すると（ステップＳ３５）、当該通信状態を解除する。その後、このＮＦＣ通信装置は、ステップＳ２１に戻り、初期の無線信号の衝突回避（ＲＦＣＡ）を行なう。
【００８６】
図１６Ａ〜図１６Ｇには、アクティブ型ＮＦＣ相互通信システムにおける、ＤＥＰフェーズでのファームウェア制御手順を図解している。
【００８７】
まず、イニシエーターは、ＮＦＣキャリアを送出し（図１６Ａを参照）、所定のガード時間経過後に、ＤＥＰ＿ＲＥＱコマンドをＡＳＫ変調信号で送信する（図１６Ｂを参照）。そして、イニシエーターは、ＤＥＰ＿ＲＥＱコマンドの送信を完了した後、ＮＦＣキャリアの出力を停止する（図１６Ｃを参照）。
【００８８】
続いて、ＮＦＣ  ＩＰ−１で規定するアクティブ型相互通信の仕様に従い、今度は、ターゲット側からイニシエーターに対し、ＮＦＣキャリアを送出する（図１６Ｄを参照）。
【００８９】
ターゲットは、イニシエーターからのＤＥＰ＿ＲＥＱコマンドの正常受信を確認した後、イニシエーターに対するＤＥＰ＿ＲＥＱコマンドをＡＳＫ変調信号で送信する（図１６Ｅを参照）。そして、ターゲットは、ＤＥＰ＿ＲＥＱコマンドの送信を完了した後、ＮＦＣキャリアの出力を停止する（図１６Ｆを参照）。
【００９０】
続いて、ＮＦＣ  ＩＰ−１で規定するアクティブ型相互通信の仕様に従い、イニシエーターは、ＮＦＣキャリアを送出し（図１６Ｇを参照）、通信システムは図１６Ａに示した状態に戻る。
【００９１】
パッシブ型並びにアクティブ型のいずれのＮＦＣ  ＩＰ−１相互通信においても、イニシエーターからのＡＴＲ＿ＲＥＱコマンド送信により開始し、Ｄａｔａ  Ｅｘｃｈａｎｇｅ  Ｐｒｏｔｏｃｏｌ（ＤＥＰ）と記載されたステートにおいて、イニシエーターとターゲット間でデータ交換が行なわれる。
【００９２】
データ交換には、コマンド・セット内のＤＥＰ＿ＲＥＱ／ＤＥＰ＿ＲＥＳコマンドが使われ、ＤＥＰ＿ＲＥＱコマンドではイニシエーター→ターゲット向きの転送データ（Ｔｒａｎｓｐｏｒｔ  Ｄａｔａ）送信が、ＤＥＰ＿ＲＥＳコマンドではターゲット→イニシエーター向きの転送データ送信ができる。
【００９３】
また、複数のターゲットが存在した場合に特定のターゲットを選択するためにＤＳＬ＿ＲＥＱ／ＤＳＬ＿ＲＥＳコマンドが使われ、通信速度を変更するためにＰＳＬ＿ＲＥＱ／ＰＳＬ＿ＲＥＳコマンドが使われる。
【００９４】
図１７には、データ交換に使われるＤＥＰ＿ＲＥＱ／ＤＥＰ＿ＲＥＳコマンドのパケット構造を示している。
【００９５】
ＤＥＰ＿ＲＥＱ／ＤＥＰ＿ＲＥＳはともに対称なパケット構造をしており、コマンドコードを示すＣＭＤ０（１バイト）、ＣＭＤ１（１バイト）の後にそのデータ転送内容を指示するＰＦＢバイトが続き、その後、オプショナルな機能としてＤＩＤ（１バイト）、ＮＡＤ（１バイト）、最後に実際に転送するデータ（Ｔｒａｎｓｐｏｒｔ  Ｄａｔａ  Ｂｙｔｅｓ）が続く。
【００９６】
なお、ＤＩＤバイト、ＮＡＤバイト、Ｔｒａｎｓｐｏｒｔ  Ｄａｔａ  Ｂｙｔｅｓの存在は任意である（なくても良い）。また、Ｔｒａｎｓｐｏｒｔ  Ｄａｔａ  Ｂｙｔｅｓの長さは、コマンド・パケット長が２５５バイトを超えない限り任意である。
【００９７】
次に、ＮＦＣ  ＩＰ−１相互通信におけるイニシエーターとターゲットの１対１対応について説明する。
【００９８】
パッシブ型相互通信においては、基本的にイニシエーターは送出キャリアをオフすることはない。外部に１３．５６ＭＨｚのキャリアが存在する場合、他のＮＦＣ通信装置（イニシエーター）は自らのキャリアを送出することができない仕様なので、複数のＮＦＣ通信装置（イニシエーター）が存在する場合においてもあるイニシエーターの通信中に他のイニシエーターが割り込むことはできない。
【００９９】
他方、アクティブ型相互通信においては、イニシエーターとターゲットが交互に送出キャリアをオン／オフすることになるが、パッシブ型相互通信と同様に外部キャリア存在時に自らのキャリアを送出できないことに加え、送出キャリアのオン／オフのタイミングについてもマイクロ秒オーダーで詳細に規定されている。アクティベーション（Ｐｒｏｔｏｃｏｌ  Ａｃｔｉｖａｔｉｏｎ  ａｎｄ  Ｐａｒａｍｅｔｅｒ  Ｓｅｌｅｃｔｉｏｎ）期間における衝突回避シーケンスを図１８に示しておく。同図中、ＴADTは、イニシエーター／ターゲットとターゲット／イニシエーター間でＲＦオフする間のアクティブ遅延時間、検出時間である（但し、７６８／ｆc≦ＴADT≦２５５９ｆcとする。ｆcはキャリア周波数）。また、ＴRFWは無線待機時間である（５１２／ｆc）。また、ｎは、ＴRFWとしてランダムに生成した時間区間の個数である（但し、０≦ｎ≦３）。また、ＴARFGは、ＲＦフィールドをスイッチ・オンしてからコマンドを送信開始するまでのアクティブ・ガード時間である（但し、ＴARFG＞１０２４／ｆcとする）。但し、ＴADT＋ｎ×ＴRFW＋ＴARFGの長さが規定されているのに対して、データ変調終了後から送出キャリア・オフまでの時間は規定されていない。同図により、複数のＮＦＣ通信装置（イニシエーター）が存在する場合においても、あるイニシエーターの通信中に他のイニシエーターが割り込むことはできないことを理解できよう。
【０１００】
また、パッシブ型相互通信及びアクティブ型相互通信の双方において、複数のＮＦＣ通信装置（ターゲット）が存在する場合においても、イニシエーターは、前述の制御コマンドにより、特定のターゲットを選択して通信することができる。
【０１０１】
以上により、複数のＮＦＣ通信装置が存在する場合においても、図１３、図１５に示したＮＦＣ  ＩＰ−１相互通信手順を正常に行なう限り、イニシエーターとターゲットの１対１対応が保証される、ということを理解できよう。
【０１０２】
次に、上位アプリケーションの制御によるイニシエーターとターゲット間のデータ交換手順について説明する。図１９には、アクティブ型相互通信におけるイニシエーターとターゲットの動作シーケンスを模式的に示している。
【０１０３】
（Ｓ１）イニシエーターは、まず、時間ＴIDTにわたり初期ＲＦ衝突回避動作を行なう。
（Ｓ２）そして、イニシエーターは、無線通信動作をオンにし、さらにＲＦ待機時間ＴRFWが経過してから、要求コマンドを送信し、その後、無線通信動作をオフにする。
（Ｓ３）ターゲットは、イニシエーターから到来する無線信号を検出すると、要求コマンドの受信処理を行なう。
（Ｓ４）そして、ターゲットは、アクティブ遅延時間ＴADTにわたり、ＲＦ衝突回避動作を行なう。
（Ｓ５）ターゲットは、さらにアクティブ・ガード時間ＴARFGが経過してから、要求コマンドに対するレスポンスを返し、その後、無線通信動作をオフにする。
（Ｓ６）イニシエーターは、ターゲットから到来する無線信号を検出すると、レスポンスの受信処理を行なう。
（Ｓ７）そして、ターゲットは、アクティブ遅延時間ＴADTにわたり、ＲＦ衝突回避動作を行ない、さらにアクティブ・ガード時間ＴARFGが経過してから、コマンドを送信し、その後、無線通信動作をオフにする。
（Ｓ８）ターゲットは、イニシエーターからのコマンドの受信処理を行なう。
【０１０４】
イニシエーター並びにターゲットを制御する上位アプリケーションにより、以下のような転送動作が行なわれる。
【０１０５】
（Ｔ１）イニシエーター⇒ターゲット向きにデータを伝達したい場合：
イニシエーターからターゲットへ、Ｔｒａｎｓｐｏｒｔ  Ｄａｔａ  Ｂｙｔｅｓを付加したＤＥＰ＿ＲＥＱコマンドが送信され、ターゲットからイニシエーターへ、Ｔｒａｎｓｐｏｒｔ  Ｄａｔａ  ＢｙｔｅｓなしのＤＥＰ＿ＲＥＳコマンドが返信される。
（Ｔ２）ターゲット⇒イニシエーター向きにデータを伝達したい場合：
イニシエーターからターゲットへ、Ｔｒａｎｓｐｏｒｔ  Ｄａｔａ  ＢｙｔｅｓなしのＤＥＰ＿ＲＥＱコマンドが送信され、ターゲットからイニシエーターへ、Ｔｒａｎｓｐｏｒｔ  Ｄａｔａ  Ｂｙｔｅｓを付加したＤＥＰ＿ＲＥＳコマンドが返信される。
（Ｔ３）イニシエーター⇔ターゲット双方向にデータを伝達したい場合：
イニシエーターからターゲットへ、Ｔｒａｎｓｐｏｒｔ  Ｄａｔａ  Ｂｙｔｅｓを付加したＤＥＰ＿ＲＥＱコマンドが送信され、ターゲットからイニシエーターへ、Ｔｒａｎｓｐｏｒｔ  Ｄａｔａ  Ｂｙｔｅｓを付加したＤＥＰ＿ＲＥＳコマンドが返信される。
【０１０６】
データ伝達の向きの決定は、上位アプリケーションに委ねられ、ＮＦＣ  ＩＰ−１仕様は関知しない。なお、２５５バイトを超える一続きのデータを伝達したいときのため、上記の（Ｔ１）、（Ｔ２）を複数回連続して行なう「チューニング」機能もある。
【０１０７】
上述したように、ＮＦＣ  ＩＰ−１規格で定められた通信速度は、最大値でも高々４２４ｋｂｐｓであり（表１を参照のこと）、他の汎用の無線通信（ＷｉＦｉ（登録商標）やＢｌｕｅｔｏｏｔｈ（登録商標）通信など）と比べると非常に低速である。このため、ＮＦＣを画像や音声、動画像などの大容量データ通信へ適用することは困難である。また、キャリア周波数（１３．５６ＭＨｚ）などの物理的な制約からも、実現可能な最高通信速度はせいぜい８４８ｋｂｐｓまでであり、今後の飛躍的な高速化を期待することはできない。
【０１０８】
このことから、これまでのＮＦＣ通信の実際の使用用途は、電子マネーや、個人認証（ＩＤカードやチケットなど）、汎用無線通信の接続確立補助（ハンドオーバー）、若しくは、安価なタグを利用したごく小容量のデータ送信（スマートポスターなど）のみに限定されている。
【０１０９】
これに対し、本出願に既に譲渡されている特願２００７−３１９５６７号明細書には、ＮＦＣ対応のリーダライタ又はトランスポンダに相当する大アンテナ及び第１の無線処理手段の他に、従来型の大アンテナの内側に１以上の小アンテナ並びに第２の無線処理手段を備えた通信装置について開示されている。この通信装置は、個々の小アンテナの対によって高速通信を行ない、システム全体での通信速度の向上を図ることができる。また、大アンテナは従来のＮＦＣ規格と完全な互換性を持ち、小アンテナ同士の通信（以下、マルチ通信）を用いない場合は従来のＮＦＣ通信を行なう能力を持つ。一方、小アンテナは、データ通信のみを担当する。したがって、リーダライタからカードへの電力供給もこの大アンテナが行なう。
【０１１０】
上記の小アンテナを用いた高速通信にも適用可能な、近距離高速無線通信技術として、「バックスキャッタ」とも呼ばれる反射波通信方式（Ｒｅｆｌｅｘ）や（例えば、特許第４０２００９６号公報を参照のこと）、ＵＷＢ（Ｕｌｔｒａ  Ｗｉｄｅ  Ｂａｎｄ）のローバンド（４ＧＨｚ帯）を用いた微弱ＵＷＢ方式（Ｔｒａｎｓｆｅｒ  Ｊｅｔ）（例えば、特開２００８−９９２３６号公報、ｗｗｗ．ｔｒａｎｓｆｅｒｊｅｔ．ｏｒｇ／ｅｎ／ｉｎｄｅｘ．ｈｔｍｌを参照のこと）を挙げることができる。ＮＦＣ、バックスキャッタ方式、微弱ＵＷＢ方式の比較を以下の表に示す。
【０１１１】
【表３】
2010130242.tif 000005
【０１１２】
小アンテナを用いた高速通信にも適用可能な、バックスキャッタ方式、並びに微弱ＵＷＢ方式はいずれも、プロトコル体系が独自規格であることから、汎用性には難がある。一方、ＮＦＣ  ＩＰ−１規格では、通信速度、符号化方式、転送パケット長の上限などの物理的仕様及びプロトコル・フォーマットが詳細に規定されている（表１を参照のこと）。このため、ＮＦＣ  ＩＰ−１規格を、物理的仕様が大きく異なるバックスキャッタ方式や微弱ＵＷＢ方式にそのまま適用することは困難である。
【０１１３】
よって、ＮＦＣ通信用の大アンテナの内側に高速通信用の小アンテナを装備した通信装置からなる通信システムには、以下に示すような問題があると思料される。
【０１１４】
（Ｋ１）既存のＮＦＣ方式と高速通信方式の間で動作モードを遷移させる際の通信動作の継続性を保つことが困難である。
（Ｋ２）各高速通信専用の新たなプロトコル体系を構築する必要がある。
（Ｋ３）プロトコル層を司る制御プログラム（ファームウェア）に、既存のＮＦＣ方式の他に各高速通信専用独自プロトコル体系を新たに実装する必要がある。
（Ｋ４）既存のＮＦＣ方式を用いるものの他に、各高速通信専用の新たなアプリケーションを作成する必要がある。
【０１１５】
また、バックスキャッタ方式や微弱ＵＷＢ方式のような近距離高速無線通信技術がＮＦＣ  ＩＰ−１規格に組み込まれた形で標準化が行なわれるには、多くの使用実績と長期の仕様策定期間を要する。
【０１１６】
ここで、上述したＮＦＣ  ＩＰ−１規格に基づくプロトコル体系をそのまま小アンテナにおける高速通信にも適用した場合の問題点を、以下に列挙する。
【０１１７】
（Ｐ１）ＮＦＣ  ＩＰ−１仕様により各ＤＥＰ＿ＲＥＱ／ＤＥＰ＿ＲＥＳの最大パケット長が２５５バイトに制限されており、高速なデータ通信を行なう上では非効率である（データレートが上がらない）。
（Ｐ２）ＮＦＣ  ＩＰ−１制御コマンド（ＰＳＬ＿ＲＥＱ／ＰＳＬ＿ＲＥＳ）において転送データレートを変更できるが、データレートを指定するビット数は有限であり、且つ、指定ビットに対応するデータレートはＮＦＣ  ＩＰ−１仕様で定められているため、多様な通信方式、及びデータレートの高速通信に対応できない。
（Ｐ３）大アンテナ、小アンテナという独立した複数通信路にまたがってＮＦＣ  ＩＰ−１プロトコル体系を適用すると、ＮＦＣ方式から高速通信方式へ、若しくはその逆の切り替え時にステートの不整合が起こり易い（連続性を保ち難い）。
（Ｐ４）ＮＦＣ  ＩＰ−１プロトコルコマンド内の未使用（ＲＦＵ）ビットや新設コマンドを使って高速通信を適応させたとしても、結局独自仕様となってしまい、さらに高速通信方式に対する制限や既存のＮＦＣ通信への悪影響が起こり易い。
【０１１８】
そこで、以下では、ＮＦＣ通信用の大アンテナの内側に高速通信用の小アンテナを装備したＮＦＣ通信装置からなり既存のＮＦＣ  ＩＰ−１規格に従う通信システムにおいて、上記（Ｐ１）〜（Ｐ４）のような問題を解消しつつ、小アンテナによる高速通信を実現する方法について提案する。
【０１１９】
図１には、ＮＦＣ通信用の大アンテナの内側に高速通信用の小アンテナを装備したＮＦＣ通信装置からなる、本発明の一実施形態に係る通信システムの構成例を示している。一方のＮＦＣ通信装置１００Ａはイニシエーターとして動作し、他方のＮＦＣ通信装置１００Ｂはターゲットとして動作する。
【０１２０】
各ＮＦＣ通信装置１００は、Ｒ／Ｗ制御部１１０と、大アンテナ１２１を接続するＮＦＣ通信処理部１２０と、メモリー・インターフェース１２２を介してＮＦＣ通信処理部１２０に接続されるＮＦＣ通信用小容量バッファー１３０と、小アンテナ１４１を接続する高速通信処理部１４０と、高速メモリー・インターフェース１４２を介して高速通信処理部１４０に接続される高速通信用大容量バッファー１５０を備え、ホスト・インターフェース１６１を介してホスト機器１６０に接続されている。以下、各部について説明する。
【０１２１】
大アンテナ１２１は、ＮＦＣ通信アナログ・インターフェース（図示しない）を介してＮＦＣ通信処理部１２０に接続され、ＮＦＣ通信キャリアの送出、及びＮＦＣ通信の送受信を行なう。
【０１２２】
ＮＦＣ通信処理部１２０は、ＮＦＣ通信における物理層並びにデータリンク層の処理を行なう。具体的には、図１３に示した処理手順に従い、パッシブ型相互通信、並びに、図１５に示した処理手順に従い、アクティブ型相互通信を行なうことができる。ＮＦＣ通信処理部１２０は、内部バス１１１を介してＲ／Ｗ制御部１１０に接続されるとともに、メモリー・インターフェース１２１を介してＮＦＣ通信用小容量バッファー１３０を接続している。
【０１２３】
ＮＦＣ通信用小容量バッファー１３０は、字義通り、ＮＦＣ通信用の小容量バッファーであり、例えばＳＲＡＭ（Ｓｔａｔｉｃ  Ｒａｎｄｏｍ  Ａｃｃｅｓｓ  Ｍｅｍｏｒｙ）やレジスタで構成される。ＮＦＣ通信用小容量バッファー１３０は、内部バス１１１を介してＲ／Ｗ制御部１１０に接続されるとともに、メモリー・インターフェース１２２を介してＮＦＣ通信処理部１２０に接続されている。送信時には、ＮＦＣ通信用小容量バッファー１３０は、Ｒ／Ｗ制御部１１０により書き込まれたＮＦＣ通信送信パケット・データ（〜２５５バイト）を、ＮＦＣ通信処理部１２０からの要求によりＮＦＣ通信処理部１２０へ転送する。また、受信時には、ＮＦＣ通信用小容量バッファー１３０は、ＮＦＣ通信処理部１２０から送られてくるＮＦＣ通信受信パケット・データ（〜２５５バイト）を保存し、Ｒ／Ｗ制御部１１０からの要求によりＲ／Ｗ制御部１１０へ転送する。
【０１２４】
小アンテナ１４１は、高速通信アナログ・インターフェース（図示しない）を介して高速通信処理部１４０に接続され、高速通信キャリアの送出、及び高速通信の送受信を行なう。
【０１２５】
高速通信処理部１４０は、Ｍｂｐｓレベルの高速通信における物理層並びにデータリンク層の処理を行なう。高速通信処理部１４０は、内部バス１１１を介してＲ／Ｗ制御部１１０に接続されるとともに、高速メモリー・インターフェース１４１を介して高速通信用小容量バッファー１５０を接続している。
【０１２６】
高速通信処理部１４０は、例えば、反射波通信方式（Ｒｅｆｌｅｘ）や微弱ＵＷＢ方式（Ｔｒａｎｓｆｅｒ  Ｊｅｔ）などの通信方式（表３を参照のこと）を適用する。反射波通信方式によれば、キャリア送出と転送データの方向が逆向きとなる。これに対し、微弱ＵＷＢ方式によれば、キャリア送出と転送データの方向が同じ向き、すなわち、アクティブ型の高速通信となる。但し、本発明の要旨は、小アンテナ１４１を用いた高速通信として上記の２方式に限定されるものではない。
【０１２７】
高速通信用大容量バッファー１５０は、字義通り、Ｍｂｐｓレベルの高速通信用の大容量バッファーであり、例えばフラッシュ・メモリーやＤＲＡＭ（Ｄｙｎａｍｉｃ  ＲＡＭ）で構成される（但し、読み出しのみの場合はＲＯＭ（Ｒｅａｄ  Ｏｎｌｙ  Ｍｅｍｏｒｙ）でもよい）。高速通信用大容量バッファー１５０は、内部バス１１１を介してＲ／Ｗ制御部１１０に接続されるとともに、高速メモリー・インターフェース１４２を介して高速通信処理部１４０に接続されている。送信時には、高速通信用大容量バッファー１５０は、Ｒ／Ｗ制御部１１０により書き込まれた高速通信送信バースト・データを、高速通信処理部１４０からの要求により高速通信処理部１４０へバースト転送する。また、受信時には、高速通信用大容量バッファー１５０は、高速通信処理部１４０から送られてくる高速通信受信バースト・データを保存し、Ｒ／Ｗ制御部１１０からの要求によりＲ／Ｗ制御部１１０へ転送する。
【０１２８】
Ｒ／Ｗ制御部１１０は、図１に示す通信システムにおけるネットワーク層からプレゼンテーション層に至るまでの上位層の処理を担い、ＮＦＣ通信と高速通信の協調を取り、高速データ通信を実現する。Ｒ／Ｗ制御部１１０は、例えば、ハードウェア・ロジックのマイクロプログラムや組み込みＣＰＵのＲＯＭプログラムという形態で実装されるが、システム構成によってはアプリケーション層も含んだ形で組み込みＣＰＵに実装される場合もある。Ｒ／Ｗ制御部１１０には、内部バス１１１を介して、上述した各物理層処理部を接続するとともに、ホスト・インターフェース１６１を介してホスト機器１６０に接続される。
【０１２９】
ホスト機器１６０は、図１に示す通信システムにおいて、アプリケーション層の処理を担い、高速データ通信を用いてユーザの求める機能を提供する。ホスト機器１６０は、例えば、ＰＣや組み込みＣＰＵで構成される。
【０１３０】
ホスト機器１６０がＰＣ（Ｐｅｒｓｏｎａｌ  Ｃｏｍｐｕｔｅｒ）の場合は、ホスト・インターフェース１６１としてＵＳＢ、ＵＡＲＴなどが用いられ、組み込みＣＰＵの場合には、ホスト・インターフェース１６１としてＡＭＢＡ、ＡＨＢバス、Ｉ2Ｃシリアル・インターフェースなどが用いられる。
【０１３１】
図１に示す通信システムでは、大アンテナ１２１を用いてＮＦＣ通信を行なうとともに、小アンテナ１４１を用いて高速通信を行なう。既に述べたように、大アンテナ１２１を用いたＮＦＣ通信には、パッシブ型相互通信とアクティブ型相互通信の２通りがある。また、小アンテナ１２１を用いた高速通信には、反射波通信方式（Ｒｅｆｌｅｘ）、微弱ＵＷＢ方式（Ｔｒａｎｓｆｅｒ  Ｊｅｔ）の２通りを挙げることができる。したがって、通信システムの構成方法として、以下の４通りを挙げることができる（但し、本発明の要旨は、小アンテナ１４１を用いた高速通信として上記の２方式に限定されるものではない）。
【０１３２】
（Ｃ１）パッシブ型ＮＦＣ相互通信＋アクティブ型高速通信（Ｔｒａｎｓｆｅｒ  Ｊｅｔ）
（Ｃ２）アクティブ型ＮＦＣ相互通信＋アクティブ型高速通信（Ｔｒａｎｓｆｅｒ  Ｊｅｔ）
（Ｃ３）パッシブ型ＮＦＣ相互通信＋反射型高速通信
（Ｃ４）アクティブ型ＮＦＣ相互通信＋反射型高速通信
【０１３３】
本実施形態に係る通信システムでは、図１３に示したパッシブ型相互通信、並びに、図１５に示したアクティブ型相互通信のいずれにおいて、小アンテナ１４１を用いた高速通信を行なう場合であっても、実際にデータ交換を行なうＤＥＰフェーズ（ステップＳ１２、Ｓ２９）以外の処理はすべてＮＦＣ  ＩＰ−１通信にて行なう。すなわち、大アンテナ１２１を用いたＮＦＣ通信処理では、図１３に示したパッシブ型相互通信又は図１５に示したアクティブ型相互通信のいずれかを行ない、コマンド状態を遷移させながら、ＮＦＣ通信においてＤＥＰステートに移行した時点において、大アンテナ１２１を用いたＮＦＣ通信に代えて、小アンテナ１４１を用いた高速・大容量通信によりデータ交換を行なう。
【０１３４】
このように、高速通信部１４０を用いた高速データ伝送を行なうのに並行して、ＮＦＣ通信処理部１２０において通常のＮＦＣ通信動作が実施されていることから、仮に通信範囲内に旧来の（高速通信機能を搭載していない）ＮＦＣ通信装置が存在したとしてもＮＦＣで規定するＲＦＣＡ機能により衝突を回避することができる。言い換えれば、既存のＮＦＣ通信システムとの互換性を保証することができる訳である。本実施形態に係る通信システムのメリットを以下にまとめておく。
【０１３５】
（Ｍ１）小アンテナ１４１を用いた高速通信において、Ｄａｔａ  Ｅｘｃｈａｎｇｅ以外の部分については独自プロトコル体系を新たに構築する必要がない。
（Ｍ２）Ｒ／Ｗ制御部１１０に実装するプログラム（ファームウェア）において、Ｄａｔａ  Ｅｘｃｈａｎｇｅ以外の部分については既存のＮＦＣ  ＩＰ−１通信用のモジュールをそのまま利用することができる。
（Ｍ３）既存のＮＦＣ  ＩＰ−１通信との仕様矛盾が起こらない。
（Ｍ４）既存のＮＦＣ  ＩＰ−１通信との連続性を保つことができる。
【０１３６】
ＮＦＣ通信におけるＤＥＰステートでは、上記の表２に示したコマンド・セットのうちＤＥＰ＿ＲＥＱ／ＤＥＰ＿ＲＥＳコマンドが使われる。そして、ＤＥＰ＿ＲＥＱコマンドでは、イニシエーター→ターゲット向きの転送データ送信が行なわれ、ＤＥＰ＿ＲＥＳコマンドでは、ターゲット→イニシエーター向きの転送データ送信が行なわれる。ここで、ＮＦＣ  ＩＰ−１仕様では、以下に示す各区間については、明確な時間が規定されていない。
【０１３７】
（Ｉ１）ＤＥＰ＿ＲＥＱコマンド送信完了からＤＥＰ＿ＲＥＳコマンド送信開始
（Ｉ２）ＤＥＰ＿ＲＥＳコマンド送信完了から次のＤＥＰ＿ＲＥＱコマンド送信開始
（Ｉ３）アクティブ型相互通信におけるＤＥＰ＿ＲＥＱ／ＤＥＰ＿ＲＥＳコマンドでの送信データ変調完了から送出ＲＦオフまで（図１８中の、Ｓｅｎｄ  ＲｅｓｐｏｎｓｅからＲＦオフまで）
【０１３８】
そこで、本実施形態に係る通信システムでは、上記の区間（Ｉ１）〜（Ｉ３）に着目して、ＤＥＰステートにおける以下の区間を利用して、小アンテナ１２１を用いた高速通信を行なうようにしている。
【０１３９】
（Ｆ１）パッシブ型相互通信時（上記の（Ｃ１）並びに（Ｃ３））において、各ＤＥＰ＿ＲＥＱ／ＤＥＰ＿ＲＥＳコマンドの送出直後
（Ｆ２）アクティブ型相互通信時（上記の（Ｃ２）並びに（Ｃ４））において、各ＤＥＰ＿ＲＥＱ／ＤＥＰ＿ＲＥＳコマンドの送出直後からＲＦオフまで
【０１４０】
本実施形態に係る通信システムでは、高速通信を行なうＤＥＰフェーズでは、ＮＦＣ通信路及び高速通信路はそれぞれ以下のような眺望となる。
【０１４１】
（Ｖ１）大アンテナ１２１を用いた従来のＮＦＣ通信路では、ＮＦＣ  ＩＰ−１仕様に完全に準拠した、短い（〜１０バイト程度）ＤＥＰ＿ＲＥＱ／ＤＥＰ＿ＲＥＳコマンドが行き来する。
（Ｖ２）小アンテナ１４１を用いた高速通信路では、大アンテナ１２１を用いたＮＦＣ通信におけるＤＥＰ＿ＲＥＱ／ＤＥＰ＿ＲＥＳコマンドの送受信タイミングに同期して、実際の転送データが高速に伝送される。
【０１４２】
このように、ＮＦＣ  ＩＰ−１仕様に準拠したＤＥＰ＿ＲＥＱ／ＤＥＰ＿ＲＥＳコマンドを送信した直後に高速通信を行なうことにより、高速通信を開始する時点において、ＮＦＣ通信を通じて確立したイニシエーターとターゲットの１対１対応を保証することができる。
【０１４３】
また、大アンテナ１２１を用いたＮＦＣ通信路上では、ＮＦＣ  ＩＰ−１仕様を完全に満たしたコマンド・シーケンスが実施されることから、大アンテナ１２１の通信可能範囲に、小アンテナ１４１を用いる高速通信方式が異なる他の通信装置１００や、旧来のＮＦＣ通信装置（Ｒ／Ｗ、カード）が複数存在しても、ＮＦＣ  ＩＰ−１通信に関しては問題なく動作することができる（図１０を参照のこと）。
【０１４４】
ここで、ＮＦＣ通信では、ＡＴＲ＿ＲＥＱ／ＡＴＲ＿ＲＥＳコマンドを用いて通信相手と最高通信速度などの通信形態を確認し、ＰＳＬ＿ＲＥＱ／ＰＳＬ＿ＲＥＳコマンドを用いて通信パラメーターを変更することができる（前述、並びに、図１３、図１５を参照のこと）。これに対し、小アンテナ１４１を用いた高速通信の形態（物理的方式、データレート、パケット長など）は、以下のいずれかの方法で決定するようにしてもよい。
【０１４５】
（Ｄ１）通信システムにおいて、高速通信形態をあらかじめ決定（固定）しておく。
（Ｄ２）大アンテナ１２１によるＮＦＣ  ＩＰ−１  ＤＥＰ通信によりネゴシエーションを行ない、小アンテナ１４１による高速通信開始前に、その形態を決定する。
（Ｄ３）小アンテナ１４１による高速通信開始前に形態を決定しない、若しくは毎回の高速通信で形態を変更する。
【０１４６】
上記（Ｄ３）の方法により高速通信形態を決定する場合には、ＮＦＣ通信のＤＥＰ＿ＲＥＱ／ＤＥＰ＿ＲＥＳコマンド・パケット内のＴｒａｎｓｐｏｒｔ  Ｄａｔａ  Ｂｙｔｅｓ（図１７を参照のこと）部分に、直後に行なわれる高速通信形態を指定する情報などを記載するようにしてもよい。他方、上記（Ｄ１）、又は（Ｄ２）の方法により高速通信形態を決定する場合には、ＮＦＣ通信のＤＥＰ＿ＲＥＱ／ＤＥＰ＿ＲＥＳコマンド・パケット内のＴｒａｎｓｐｏｒｔ  Ｄａｔａ  Ｂｙｔｅｓを空にすることができる。
【０１４７】
上記（Ｄ３）の方法により、ＮＦＣ通信のＤＥＰ＿ＲＥＱ／ＤＥＰ＿ＲＥＳコマンド・パケット内のＴｒａｎｓｐｏｒｔ  Ｄａｔａ  Ｂｙｔｅｓ部分に、その直後に行なわれる高速通信形態を指定する情報などを記載する場合、ＤＥＰ＿ＲＥＱ／ＤＥＰ＿ＲＥＳコマンドのパケット長がＮＦＣ  ＩＰ−１規格で制限される２５５バイトを超えない限り、その記載内容や使用は、通信システムの設計者に任せるようにしてもよい。これにより、バックスキャッタ方式や微弱ＵＷＢ方式以外の小アンテナ１４１を用いた高速通信方式を利用することができ、大アンテナ１２１を用いたＮＦＣ通信と組み合わせてさまざまなマルチ通信システムを実現することができる。
【０１４８】
本実施形態に係る通信システムにおいて、小アンテナ１４１を用いる高速通信において適用する物理的方式の差異は、Ｒ／Ｗ制御部１１０のファームウェア層までで吸収することができる。したがって、ＮＦＣ通信装置に接続されるホスト機器１６０で実装するアプリケーションのプログラムを、高速通信の物理的方式に応じて変更する必要はほとんどない。逆に、アプリケーション層からの視点で言及するならば、下位の通信路の物理的特性を意識することなく構築することができ、既存のＮＦＣ通信用のアプリケーションをほぼそのまま使用することが可能である。下位の通信路の差異は、アプリケーション層には影響せず、通信速度などの性能として現れる。
【０１４９】
通信システムの構成方法として、（Ｃ１）〜（Ｃ４）の４通りが挙げられることは既に述べた。以下では、各システム構成におけるＤＥＰフェーズの通信動作についてそれぞれ詳解する。
【０１５０】
図２には、パッシブ型ＮＦＣ相互通信とアクティブ型高速通信（Ｔｒａｎｓｆｅｒ  Ｊｅｔ）を組み合わせた通信システム（Ｃ１）における、ＤＥＰフェーズでのイニシエーター及びターゲットの大アンテナ１２１及び小アンテナ１４１の送出キャリア強度を示している。
【０１５１】
イニシエーター１００Ａ側では、まず、大アンテナ１２１ＡからＮＦＣキャリアを送出してから所定のガード時間の経過後にＮＦＣ送信を開始し、続いてＤＥＰ＿ＲＥＱコマンドをＡＳＫ変調信号で送信する。このとき、ＤＥＰ＿ＲＥＱコマンド・パケット内のＴｒａｎｓｐｏｒｔ  Ｄａｔａ  Ｂｙｔｅｓ部分に、直後に行なわれる高速通信形態を指定する情報などを記載するようにしてもよい。
【０１５２】
イニシエーター１００Ａは、Ｔｒａｎｓｐｏｒｔ  Ｄａｔａの送信が完了するまでは、大アンテナ１２１ＡからＮＦＣキャリアを送出し続ける。これによって、大アンテナ１２１Ａの通信可能範囲に存在する他のＮＦＣ通信装置は、ＲＦＣＡ機能により、この期間にわたりＮＦＣ通信を開始することはない。
【０１５３】
そして、イニシエーター１００Ａは、大アンテナ１２１ＡからＤＥＰ＿ＲＥＱコマンドを送出した直後に、小アンテナ１４１Ａを用いてターゲット１００Ｂに向けた高速データ送信を開始する。
【０１５４】
イニシエーター１００Ａは、この高速送信動作が完了すると、大アンテナ１２１Ａを用いたＮＦＣ受信動作を開始する。また、ターゲット１００Ｂ側で、高速送信されたデータを小アンテナ１２１Ｂで受信完了すると、その受信データ処理を行なう。ここで、イニシエーター１００Ａ側からの高速データ送信と、ターゲット１００Ｂ側での高速受信データ処理は、イニシエーター１００Ａのタイムアウト時間内（ＮＦＣ  ＩＰ−１規格では最大３０２秒）に終了するものとする。
【０１５５】
その後、イニシエーター１００Ａは、ターゲット１００Ｂの大アンテナ１２１Ｂから負荷変調信号として送出されるＤＥＰ＿ＲＥＳコマンドを受信する。このとき、ＤＥＰ＿ＲＥＳコマンド・パケット内のＴｒａｎｓｐｏｒｔ  Ｄａｔａ  Ｂｙｔｅｓ部分に、直後に行なわれる高速通信形態を指定する情報などを記載するようにしてもよい。
【０１５６】
ターゲット１００Ｂは、大アンテナ１２１ＢからＤＥＰ＿ＲＥＳコマンドを送出した直後に、小アンテナを１４１Ｂ用いてターゲット１００Ｂに向けた高速データ送信を開始する。
【０１５７】
ターゲット１００Ｂは、この高速送信動作が完了すると、大アンテナ１２１Ｂを用いたＮＦＣ受信動作を開始する。また、イニシエーター１００Ａ側で、高速送信されたデータを小アンテナ１２１Ａで受信完了すると、その受信データ処理を行なう。
【０１５８】
図２に示したようなＤＥＰフェーズでの、イニシエーター１００Ａ及びターゲット１００Ｂの各アンテナからのキャリア送出動作は、各々のＲ／Ｗ制御部１１０Ａ／Ｂにおけるファームウェア制御によって実現することができる。図３Ａ〜図３Ｉには、パッシブ型ＮＦＣ相互通信とアクティブ型高速通信（Ｔｒａｎｓｆｅｒ  Ｊｅｔ）を組み合わせた通信システムにおける、ＤＥＰフェーズでのファームウェア制御手順を図解している。
【０１５９】
まず、イニシエーター１００Ａ側の大アンテナ１２１Ａから、ＮＦＣキャリアを送出する（図３Ａを参照）。以後、すべてのＴｒａｎｓｐｏｒｔ  Ｄａｔａの送信を完了するまでの全期間にわたって、イニシエーター１００Ａは、大アンテナ１２１ＡからＮＦＣキャリアを送出し続ける。
【０１６０】
イニシエーター１００Ａは、ＮＦＣキャリアを送出してから所定のガード時間経過後に、大アンテナ１２１ＡからＤＥＰ＿ＲＥＱコマンドをＡＳＫ変調信号で送信する（図３Ｂを参照）。
【０１６１】
イニシエーター１００Ａは、ターゲット１００Ｂに向けた高速通信を行なわない場合には、通信システムは図３Ｆ（後述）に示す状態に移行する。
【０１６２】
他方、イニシエーター１００Ａは、ターゲット１００Ｂに向けて高速通信を行なう場合には、ＤＥＰ＿ＲＥＱコマンドを送信した直後に、小アンテナ１４１Ａで、外部に４．４８ＧＨｚ帯の高速通信キャリアが存在しないことを確認してから、ターゲット１００Ｂへの４．４８ＧＨｚの高速通信キャリアを送出する（図３Ｃを参照）。
【０１６３】
その後、イニシエーター１００Ａは、ターゲット１００Ｂ側の高速通信処理部１４０Ｂ内の受信機が安定する時間を待って、小アンテナ１４１Ａから高速転送データを送信する（図３Ｄを参照）。そして、すべての高速転送データ送信を完了すると、イニシエーター１００Ａは、４．４８ＧＨｚの高速通信キャリアの送出を停止する（図３Ｅを参照）。
【０１６４】
次いで、ターゲット１００Ｂは、イニシエーター１００ＡからのＤＥＰ＿ＲＥＱコマンド、及び、すべてのＴｒａｎｓｐｏｒｔ  Ｄａｔａの正常受信を確認した後、イニシエーター１００Ａの大アンテナ１２１Ａから送出される無変調ＮＦＣキャリアを負荷変調して、ＤＥＰ＿ＲＥＳコマンドを送信する（図３Ｆを参照）。
【０１６５】
ターゲット１００Ｂは、イニシエーター１００Ａに向けた高速通信を行なわない場合には、通信システムは図３Ａに示した状態に戻る。
【０１６６】
他方、ターゲット１００Ｂは、イニシエーター１００Ａに向けて高速通信を行なう場合には、ＤＥＰ＿ＲＥＳコマンドを送信した直後に、小アンテナ１４１Ａで、外部に４．４８ＧＨｚ帯の高速通信キャリアが存在しないことを確認してから、イニシエーター１００Ａへの４．４８ＧＨｚの高速通信キャリアを送出する（図３Ｇを参照）。
【０１６７】
その後、ターゲット１００Ｂは、イニシエーター１００Ａ側の高速通信処理部１４０Ａ内の受信機が安定する時間を待って、小アンテナ１４１Ａから高速転送データを送信する（図３Ｈを参照）。
【０１６８】
そして、すべてのＴｒａｎｓｐｏｒｔ  Ｄａｔａの送信を完了すると、ターゲット１００Ｂは、４．４８ＧＨｚの高速通信キャリアの送出を停止し（図３Ｉを参照）、通信システムは図３Ａに示した状態に戻る。
【０１６９】
また、図４には、アクティブ型ＮＦＣ相互通信とアクティブ型高速（Ｔｒａｎｓｆｅｒ  Ｊｅｔ）を組み合わせた通信システム（Ｃ２）における、ＤＥＰフェーズでのイニシエーター及びターゲットの大アンテナ１２１及び小アンテナ１４１の送出キャリア強度を示している。
【０１７０】
イニシエーター１００Ａ側では、まず、大アンテナ１２１ＡからＮＦＣキャリアを送出し、所定のガード時間経過後にＮＦＣ送信を開始し、ＤＥＰ＿ＲＥＱコマンドをＡＳＫ変調信号で送信する。このとき、ＤＥＰ＿ＲＥＱコマンド・パケット内のＴｒａｎｓｐｏｒｔ  Ｄａｔａ  Ｂｙｔｅｓ部分に、直後に行なわれる高速通信形態を指定する情報などを記載するようにしてもよい。
【０１７１】
そして、イニシエーター１００Ａは、ＤＥＰ＿ＲＥＱコマンドでの送信データの変調処理を完了した後から、ＮＦＣキャリアの送出を停止するまでの期間を利用して、小アンテナ１４１Ａからターゲット１００Ｂに向けた高速データ送信を開始する。ＮＦＣキャリアの送出を停止するまでの期間はタイムアウト時間内であり、このタイムアウト時間はＮＦＣ  ＩＰ−１規格では最大３０２秒と規定されている。イニシエーター１００Ａは、高速データ送信が完了するまでは、大アンテナ１２１ＡからＮＦＣキャリアを送出し続けることになる。したがって、大アンテナ１２１Ａの通信可能範囲に存在する他のＮＦＣ通信装置は、ＲＦＣＡ機能により、イニシエーター１００Ａが高速データ送信を行なっている期間にわたりＮＦＣ通信を開始することはない。
【０１７２】
イニシエーター１００Ａは、小アンテナ１４１Ａからの高速データ送信が完了すると、大アンテナ１２１ＡからのＮＦＣキャリア送出、及び、小アンテナ１２１Ａからの高速通信キャリア送出をともに停止する。
【０１７３】
ターゲット１０１Ｂは、イニシエーター１００ＡからのＮＦＣキャリア送出が停止したことを検出すると、大アンテナ１２１ＢからＮＦＣキャリアを送出し、所定のガード時間の経過後にＮＦＣ送信を開始し、ＤＥＰ＿ＲＥＳコマンドをＡＳＫ変調信号で送信する。このとき、ＤＥＰ＿ＲＥＳコマンド・パケット内のＴｒａｎｓｐｏｒｔ  Ｄａｔａ  Ｂｙｔｅｓ部分に、直後に行なわれる高速通信形態を指定する情報などを記載するようにしてもよい。
【０１７４】
ターゲット１００Ｂは、ＤＥＰ＿ＲＥＳコマンドでの送信データの変調処理を完了した後から、ＮＦＣキャリアの送出を停止するまでの期間を利用して、小アンテナ１４１Ｂからイニシエーター１００Ａに向けた高速データ送信を開始する。ＮＦＣキャリアの送出を停止するまでの期間はタイムアウト時間内であり、このタイムアウト時間はＮＦＣ  ＩＰ−１規格では最大３０２秒と規定されている。ターゲット１００Ｂは、高速データ送信が完了するまでは、大アンテナ１２１ＢからＮＦＣキャリアを送出し続けることになる。したがって、大アンテナ１２１Ｂの通信可能範囲に存在する他のＮＦＣ通信装置は、ＲＦＣＡ機能により、ターゲット１００Ｂが高速データ送信を行なっている期間にわたりＮＦＣ通信を開始することはない。
【０１７５】
ターゲット１００Ｂは、小アンテナ１４１Ｂからの高速データ送信が完了すると、大アンテナ１２１ＢからのＮＦＣキャリア送出、及び、小アンテナ１２１Ｂからの高速通信キャリア送出をともに停止する。
【０１７６】
イニシエーター１００Ａは、ターゲット１０１ＢからのＮＦＣキャリア送出が停止したことを検出すると、大アンテナ１２１ＡからＮＦＣキャリアを送出し、以降は上述と同様の動作が繰り返される。
【０１７７】
図４に示したようなＤＥＰフェーズでの、イニシエーター１００Ａ及びターゲット１００Ｂの各アンテナからのキャリア送出動作は、各々のＲ／Ｗ制御部１１０Ａ／Ｂにおけるファームウェア制御によって実現することができる。図５Ａ〜図５Ｋには、アクティブ型ＮＦＣ相互通信とアクティブ型高速通信（Ｔｒａｎｓｆｅｒ  Ｊｅｔ）を組み合わせた通信システムにおける、ＤＥＰフェーズでのファームウェア制御手順を図解している。
【０１７８】
まず、イニシエーター１００Ａは、大アンテナ１２１Ａから１３．５６ＭＨｚのＮＦＣキャリアの送出する（図５Ａを参照）。そして、イニシエーター１００Ａは、ＮＦＣキャリアを送出してから所定のガード時間の経過後に、大アンテナ１２１ＡからＤＥＰ＿ＲＥＱコマンドをＡＳＫ変調信号で送信する（図５Ｂを参照）。
【０１７９】
イニシエーター１００Ａは、ターゲット１００Ｂに向けた高速通信を行なわない場合には、通信システムは図５Ｅ（後述）に示す状態に移行する。
【０１８０】
他方、イニシエーター１００Ａは、ターゲット１００Ｂに向けて高速通信を行なう場合には、ＤＥＰ＿ＲＥＱコマンドを送信した後、小アンテナ１４１Ａで、外部に４．４８ＧＨｚ帯の高速通信キャリアが存在しないことを確認してから、ターゲット１００Ｂへの４．４８ＧＨｚの高速通信キャリアを送出する（図５Ｃを参照）。
【０１８１】
その後、イニシエーター１００Ａは、ターゲット１００Ｂ側の高速通信処理部１４０Ｂ内の受信機が安定する時間を待って、小アンテナ１４１Ａから高速転送データを送信する（図５Ｄを参照）。そして、すべての高速転送データ送信を完了すると、イニシエーター１００Ａは、１３．５６ＭＨｚのＮＦＣキャリア及び４．４８ＧＨｚの高速通信キャリアの送出をともに停止する（図５Ｅを参照）。
【０１８２】
次いで、ＮＦＣ  ＩＰ−１規格で規定するアクティブ型通信の仕様に従い、ターゲット１００Ｂは、イニシエーター１００Ａに対して、１３．５６ＭＨｚのＮＦＣキャリアを大アンテナ１２１Ｂから送出する（図５Ｆを参照）。
【０１８３】
そして、ターゲット１００Ｂは、イニシエーター１００ＡからのＤＥＰ＿ＲＥＱコマンド、及び、すべてのＴｒａｎｓｐｏｒｔ  Ｄａｔａの正常受信を確認した後、大アンテナ１２１ＢからＤＥＰ＿ＲＥＳコマンドをＡＳＫ変調信号で送信する（図５Ｇを参照）。
【０１８４】
ここで、ターゲット１００Ｂがイニシエーター１００Ａに向けた高速通信を行なわない場合には、通信システムは図５Ｊ（後述）に示す状態に移行する。
【０１８５】
他方、ターゲット１００Ｂは、イニシエーター１００Ａに向けて高速通信を行なう場合には、ＤＥＰ＿ＲＥＳコマンドを送信した後に、小アンテナ１４１Ａで、外部に４．４８ＧＨｚ帯の高速通信キャリアが存在しないことを確認してから、イニシエーター１００Ａへの４．４８ＧＨｚの高速通信キャリアを送出する（図５Ｈを参照）。
【０１８６】
その後、ターゲット１００Ｂは、イニシエーター１００Ａ側の高速通信処理部１４０Ａ内の受信機が安定する時間を待って、小アンテナ１４１Ｂから高速転送データを送信する（図５Ｉを参照）。そして、すべての高速転送データ送信を完了すると、ターゲット１００Ｂは、１３．５６ＭＨｚのＮＦＣキャリア及び４．４８ＧＨｚの高速通信キャリアの送出をともに停止する（図５Ｊを参照）。
【０１８７】
次いで、ＮＦＣ  ＩＰ−１規格で規定するアクティブ型通信の仕様に従い、イニシエーター１００Ａは、ターゲット１００Ｂに対して、１３．５６ＭＨｚのＮＦＣキャリアを大アンテナ１２１Ａから送出し（図５Ｋを参照）、通信システムは図５Ａに示した状態に戻る。
【０１８８】
また、図６には、パッシブ型ＮＦＣ相互通信と反射型高速通信を組み合わせた通信システム（Ｃ３）における、ＤＥＰフェーズでのイニシエーター及びターゲットの大アンテナ１２１及び小アンテナ１４１の送出キャリア強度を示している。
【０１８９】
イニシエーター１００Ａ側では、まず、大アンテナ１２１ＡからＮＦＣキャリアを送出してから所定のガード時間経過後にＮＦＣ送信を開始し、ＤＥＰ＿ＲＥＱコマンドをＡＳＫ変調信号で送信する。このとき、ＤＥＰ＿ＲＥＱコマンド・パケット内のＴｒａｎｓｐｏｒｔ  Ｄａｔａ  Ｂｙｔｅｓ部分に、直後に行なわれる高速通信形態を指定する情報などを記載するようにしてもよい。
【０１９０】
イニシエーター１００Ａは、Ｔｒａｎｓｐｏｒｔ  Ｄａｔａの送信が完了するまでは、大アンテナ１２１ＡからＮＦＣキャリアを送出し続ける。これによって、大アンテナ１２１Ａの通信可能範囲に存在する他のＮＦＣ通信装置は、ＲＦＣＡ機能により、この期間にわたりＮＦＣ通信を開始することはない。
【０１９１】
ターゲット１００Ｂは、イニシエーター１００ＡからのＤＥＰ＿ＲＥＱコマンドを大アンテナ１２１Ｂで受信し、その受信データ処理を完了すると、小アンテナ１４１Ｂから２．４ＧＨｚの高速通信キャリアの送出を開始して、イニシエーター１００Ａからの高速データ送信に備える。
【０１９２】
そして、イニシエーター１００Ａは、ターゲット１００Ｂからの高速通信キャリアを検出すると、小アンテナ１４１Ａからの変調反射波信号として高速データ転送を行なう。
【０１９３】
ターゲット１００Ｂ側では、この変調反射波信号を小アンテナ１４１Ｂで受信完了し、さらにその受信データ処理を完了すると、小アンテナ１４１Ｂからの２．４ＧＨｚの高速通信キャリアの送出を停止し、大アンテナ１２１Ｂから負荷変調信号として送出されるＤＥＰ＿ＲＥＳコマンドを送信する。
【０１９４】
イニシエーター１００Ａは、ターゲット１００Ｂから負荷変調信号として送出されるＤＥＰ＿ＲＥＳコマンドを大アンテナ１２１Ａで受信し、その受信データ処理を完了すると、小アンテナ１４１Ａから２．４ＧＨｚの高速通信キャリアの送出を開始して、ターゲット１００Ｂからの高速データ送信に備える。
【０１９５】
そして、ターゲット１００Ｂは、イニシエーター１００Ａからの高速通信キャリアを検出すると、小アンテナ１４１Ｂからの変調反射波信号として高速データ転送を行なう。
【０１９６】
イニシエーター１００Ａは、この変調反射波信号を小アンテナ１４１Ａで受信完了し、さらにその受信データ処理を完了すると、小アンテナ１４１Ａからの２．４ＧＨｚの高速通信キャリアの送出を停止する。また、ターゲットＢは、高速データ送信を完了すると、続いて大アンテナ１２１ＢでのＮＦＣ受信を開始する。
【０１９７】
図６に示したようなＤＥＰフェーズでの、イニシエーター１００Ａ及びターゲット１００Ｂの各アンテナからのキャリア送出動作は、各々のＲ／Ｗ制御部１１０Ａ／Ｂにおけるファームウェア制御によって実現することができる。図７Ａ〜図７Ｉには、パッシブ型ＮＦＣ相互通信と反射型高速通信を組み合わせた通信システムにおける、ＤＥＰフェーズでのファームウェア制御手順を図解している。
【０１９８】
まず、イニシエーター１００Ａ側の大アンテナ１２１Ａから、ＮＦＣキャリアを送出する（図７Ａを参照）。以後、すべてのＴｒａｎｓｐｏｒｔ  Ｄａｔａの送信を完了するまでの全期間にわたって、イニシエーター１００Ａは、大アンテナ１２１ＡからＮＦＣキャリアを送出し続ける。
【０１９９】
イニシエーター１００Ａは、ＮＦＣキャリアを送出してから所定のガード時間経過後に、大アンテナ１２１ＡからＤＥＰ＿ＲＥＱコマンドをＡＳＫ変調信号で送信する（図７Ｂを参照）。
【０２００】
イニシエーター１００Ａは、ターゲット１００Ｂに向けた高速通信を行なわない場合には、通信システムは図７Ｆ（後述）に示す状態に移行する。
【０２０１】
他方、イニシエーター１００Ａからターゲット１００Ｂに向けて高速通信を行なう場合には、ターゲット１００ＢはＤＥＰ＿ＲＥＱコマンドの正常受信を確認した後、小アンテナ１４１Ｂで、外部に２．４ＧＨｚ帯の高速通信キャリアが存在しないことを確認してから２．４ＧＨｚの無変調高速通信キャリアを送出する（図７Ｃを参照）。
【０２０２】
イニシエーター１００Ａは、小アンテナ１４１Ａで、外部に２．４ＧＨｚの高速通信キャリアが存在することを確認すると、その反射波に対して送信データに応じた変調をかけて、高速転送データを送信する（図７Ｄを参照）。そして、イニシエーター１００Ａ側ですべての高速転送データ送信を完了し、ターゲット１００Ｂが高速転送データの受信を完了すると、小アンテナ１００Ｂからの２．４ＧＨｚの無変調高速通信キャリアの送出を停止する（図７Ｅを参照）。
【０２０３】
次いで、ターゲット１００Ｂは、イニシエーター１００Ａの大アンテナ１２１Ａから送出される無変調ＮＦＣキャリアを負荷変調して、ＤＥＰ＿ＲＥＳコマンドを送信する（図７Ｆを参照）。
【０２０４】
ターゲット１００Ｂは、イニシエーター１００Ａに向けた高速通信を行なわない場合には、通信システムは図７Ａに示した状態に戻る。
【０２０５】
他方、ターゲット１００Ｂは、イニシエーター１００Ａに向けて高速通信を行なう場合には、イニシエーター１００Ａは、ＤＥＰ＿ＲＥＱコマンドの正常受信を確認した後、小アンテナ１４１Ａで、外部に２．４ＧＨｚ帯の高速通信キャリアが存在しないことを確認してから２．４ＧＨｚの無変調高速通信キャリアを送出する（図７Ｇを参照）。
【０２０６】
ターゲット１００Ｂは、小アンテナ１４１Ｂで、外部に２．４ＧＨｚの高速通信キャリアが存在することを確認すると、その反射波に対して送信データに応じた変調をかけて、高速転送データを送信する（図７Ｈを参照）。
【０２０７】
そして、ターゲット１００Ｂ側ですべての高速転送データ送信を完了し、イニシエーター１００Ａが高速転送データの受信を完了すると、小アンテナ１００Ａからの２．４ＧＨｚの無変調高速通信キャリアの送出を停止し（図７Ｉを参照）、通信システムは図７Ａに示した状態に戻る。
【０２０８】
また、図８には、アクティブ型ＮＦＣ相互通信と反射型高速を組み合わせた通信システム（Ｃ４）における、ＤＥＰフェーズでのイニシエーター及びターゲットの大アンテナ１２１及び小アンテナ１４１の送出キャリア強度を示している。
【０２０９】
イニシエーター１００Ａ側では、まず、大アンテナ１２１ＡからＮＦＣキャリアを送出し、所定のガード時間の経過後にＮＦＣ送信を開始し、ＤＥＰ＿ＲＥＱコマンドをＡＳＫ変調信号で送信する。このとき、ＤＥＰ＿ＲＥＱコマンド・パケット内のＴｒａｎｓｐｏｒｔ  Ｄａｔａ  Ｂｙｔｅｓ部分に、直後に行なわれる高速通信形態を指定する情報などを記載するようにしてもよい。
【０２１０】
ターゲット１００Ｂは、イニシエーター１００Ａからの負荷変調信号として送出されるＤＥＰ＿ＲＥＱコマンドを大アンテナ１２１Ｂで受信し、その受信データ処理を完了すると、小アンテナ１４１Ｂから２．４ＧＨｚの高速通信キャリアの送出を開始して、イニシエーター１００Ａからの高速データ送信に備える。
【０２１１】
そして、イニシエーター１００Ａは、ターゲット１００Ｂからの高速通信キャリアを検出すると、小アンテナ１４１Ａで受信した高速通信キャリアの反射波に対して送信データに応じて変調をかけて、高速データ送信を行なう。
【０２１２】
イニシエーター１００Ａは、高速データ送信を完了すると、続いて大アンテナ１２１ＡでのＮＦＣ受信を開始する。また、ターゲット１００Ｂは、イニシエーター１００Ａからの高速データの受信を完了すると、小アンテナ１４１Ｂからの２．４ＧＨｚの高速通信キャリアの送出を停止して高速受信データの処理を行なう。そして、イニシエーター１００Ａは、ターゲット１００Ｂ側で高速通信キャリアの送出が停止したことを検出すると、ＮＦＣキャリアの送出を停止する。
【０２１３】
高速データ伝送はイニシエーター１００ＡがＮＦＣキャリアの送出を停止するまでの期間を利用して行なわれる。ＮＦＣキャリアの送出を停止するまでの期間はタイムアウト時間内であり、このタイムアウト時間はＮＦＣ  ＩＰ−１規格では最大３０２秒と規定されている。イニシエーター１００Ａは、ターゲット１００Ｂからの高速通信キャリアが停止するまで、大アンテナ１２１ＡからＮＦＣキャリアを送出し続けることになる。これによって、大アンテナ１２１Ａの通信可能範囲に存在する他のＮＦＣ通信装置は、ＲＦＣＡ機能により、イニシエーター１００Ａが高速データ送信を行なっている期間にわたりＮＦＣ通信を開始することはない。
【０２１４】
続いて、ターゲット１００Ｂは、イニシエーター１００ＡからのＮＦＣキャリアの送出が停止したことを検出すると、大アンテナ１００ＢからＮＦＣキャリアの送出を開始し、所定のガード時間経過後にＮＦＣ送信を開始し、ＤＥＰ＿ＲＥＳコマンドをＡＳＫ変調信号で送信する。このとき、ＤＥＰ＿ＲＥＳコマンド・パケット内のＴｒａｎｓｐｏｒｔ  Ｄａｔａ  Ｂｙｔｅｓ部分に、直後に行なわれる高速通信形態を指定する情報などを記載するようにしてもよい。
【０２１５】
イニシエーター１００Ａは、ターゲット１００Ｂから負荷変調信号として送出されるＤＥＰ＿ＲＥＳコマンドを大アンテナ１２１Ａで受信し、その受信データ処理を完了すると、小アンテナ１４１Ａから２．４ＧＨｚの高速通信キャリアの送出を開始して、ターゲット１００Ｂからの高速データ送信に備える。
【０２１６】
そして、ターゲット１００Ｂは、イニシエーター１００Ａからの高速通信キャリアを検出すると、小アンテナ１４１Ｂで受信した高速通信キャリアの反射波に対して送信データに応じて変調をかけて、高速データ通信を行なう。
【０２１７】
ターゲット１００Ｂは、高速データ送信を完了すると、続いて大アンテナ１２１ＢでのＮＦＣ受信を開始する。また、イニシエーター１００Ａは、ターゲット１００Ｂからの高速データの受信を完了すると、小アンテナ１４１Ａからの２．４ＧＨｚの高速通信キャリアの送出を停止して高速受信データの処理を行なう。そして、ターゲット１００Ｂは、イニシエーター１００Ａ側で高速通信キャリアの送出が停止したことを検出すると、ＮＦＣキャリアの送出を停止する。
【０２１８】
高速データ伝送はターゲット１００ＢがＮＦＣキャリアの送出を停止するまでの期間を利用して行なわれる。ＮＦＣキャリアの送出を停止するまでの期間はタイムアウト時間内であり、このタイムアウト時間はＮＦＣ  ＩＰ−１規格では最大３０２秒と規定されている。ターゲット１００Ｂは、イニシエーター１００Ａからの高速通信キャリアが停止するまで、大アンテナ１２１ＢからＮＦＣキャリアを送出し続けることになる。これによって、大アンテナ１２１Ｂの通信可能範囲に存在する他のＮＦＣ通信装置は、ＲＦＣＡ機能により、イニシエーター１００Ａが高速データ送信を行なっている期間にわたりＮＦＣ通信を開始することはない。
【０２１９】
イニシエーター１００Ａは、ターゲット１０１ＢからのＮＦＣキャリア送出が停止したことを検出すると、大アンテナ１２１ＡからＮＦＣキャリアを送出し、以降は上述と同様の動作が繰り返される。
【０２２０】
図８に示したようなＤＥＰフェーズでの、イニシエーター１００Ａ及びターゲット１００Ｂの各アンテナからのキャリア送出動作は、各々のＲ／Ｗ制御部１１０Ａ／Ｂにおけるファームウェア制御によって実現することができる。図９Ａ〜図９Ｍには、アクティブ型ＮＦＣ相互通信と反射型高速通信を組み合わせた通信システムにおける、ＤＥＰフェーズでのファームウェア制御手順を図解している。
【０２２１】
まず、イニシエーター１００Ａは、大アンテナ１２１Ａから１３．５６ＭＨｚのＮＦＣキャリアの送出する（図９Ａを参照）。そして、イニシエーター１００Ａは、ＮＦＣキャリアを送出してから所定のガード時間の経過後に、大アンテナ１２１ＡからＤＥＰ＿ＲＥＱコマンドをＡＳＫ変調信号で送信する（図９Ｂを参照）。
【０２２２】
イニシエーター１００Ａからターゲット１００Ｂに向けた高速通信を行なわない場合には、通信システムは図９Ｆ（後述）に示す状態に移行する。
【０２２３】
他方、イニシエーター１００Ａからターゲット１００Ｂに向けた高速通信を行なう場合には、ターゲット１００Ｂは、ＤＥＰ＿ＲＥＱコマンドの正常受信を確認した後、小アンテナ１４１Ｂで、外部に２．４ＧＨｚ帯のキャリアが存在しないことを確認してから、イニシエーター１００Ａへの２．４ＧＨｚの無変調高速通信キャリアを送出する（図９Ｃを参照）。
【０２２４】
イニシエーター１００Ａは、小アンテナ１４１Ａで、外部に２．４ＧＨｚの高速通信キャリアが存在することを確認すると、その反射波に対して送信データに応じた変調をかけて、高速転送データを送信する（図９Ｄを参照）。そして、イニシエーター１００Ａ側ですべての高速転送データ送信を完了し、ターゲット１００Ｂが高速転送データの受信を完了すると、ターゲット１００Ｂは、２．４ＧＨｚの無変調高速通信キャリアの送出をともに停止する（図９Ｅを参照）。また、イニシエーター１００Ａは、小アンテナ１４１Ａで、外部に２．４ＧＨｚのキャリアが存在しないことを確認すると、大アンテナ１２１Ａからの１３．５６ＭＨｚのＮＦＣキャリアの送出を停止する（図９Ｆを参照）。
【０２２５】
次いで、ＮＦＣ  ＩＰ−１規格で規定するアクティブ型通信の仕様に従い、ターゲット１００Ｂは、イニシエーター１００Ａに対して、１３．５６ＭＨｚのＮＦＣキャリアを大アンテナ１２１Ｂから送出する（図９Ｇを参照）。そして、ターゲット１００Ｂは、大アンテナ１２１ＢからＤＥＰ＿ＲＥＳコマンドをＡＳＫ変調信号で送信する（図９Ｈを参照）。
【０２２６】
ここで、ターゲット１００Ｂからイニシエーター１００Ａに向けた高速通信を行なわない場合には、通信システムは図９Ｌ（後述）に示す状態に移行する。
【０２２７】
他方、ターゲット１００Ｂからイニシエーター１００Ａに向けた高速通信を行なう場合には、イニシエーター１００Ａは、ＤＥＰ＿ＲＥＱコマンドの正常受信を確認した後、小アンテナ１４１Ａで、外部に２．４ＧＨｚ帯の高速通信キャリアが存在しないことを確認してから２．４ＧＨｚの無変調高速通信キャリアを送出する（図９Ｉを参照）。
【０２２８】
ターゲット１００Ｂは、小アンテナ１４１Ｂで、外部に２．４ＧＨｚの高速通信キャリアが存在することを確認すると、その反射波に対して送信データに応じた変調をかけて、高速転送データを送信する（図９Ｊを参照）。
【０２２９】
そして、ターゲット１００Ｂ側ですべてのＴｒａｎｄｐｏｒｔ  Ｄａｔａの送信を完了し、イニシエーター１００ＡがＴｒａｎｄｐｏｒｔ  Ｄａｔａの正常受信を完了すると、小アンテナ１００Ａからの２．４ＧＨｚの無変調高速通信キャリアの送出を停止する（図９Ｋを参照）。
【０２３０】
ターゲット１００Ｂは、小アンテナ１４１Ｂで、外部に２．４ＧＨｚのキャリアが存在しないことを確認すると、大アンテナ１２１Ｂからの１３．５６ＭＨｚのＮＦＣキャリアの送出を停止する（図９Ｌを参照）。
【０２３１】
次いで、ＮＦＣ  ＩＰ−１規格で規定するアクティブ型通信の仕様に従い、イニシエーター１００Ａは、ターゲット１００Ｂに対して、１３．５６ＭＨｚのＮＦＣキャリアを大アンテナ１２１Ｂから送出し（図９Ｍを参照）、通信システムは図９Ａに示した状態に戻る。
【０２３２】
図２、図４、図６、図８のいずれに示した通信手順においても、ＮＦＣ通信路上においてはＮＦＣ  ＩＰ−１仕様を完全に満たすことを主眼としている。いずれの場合も、ＤＥＰフェーズにおいて高速通信路を用いて高速データ転送を行なっている期間中にわたり、（高速通信には直接必要とはならない）ＮＦＣキャリアを絶えず送出し続ける必要がある。この点では、ＮＦＣ通信装置１００のＮＦＣ通信処理部１２０における不要電力の消費が懸念される。
【０２３３】
ここで、高速データ転送期間にＮＦＣキャリアを送信し続けるのは、他のＮＦＣ通信システムとの衝突を回避するために、大アンテナ１２１の通信可能範囲に存在する、小アンテナ１４１を用いる高速通信方式が異なる他の通信装置１００や、旧来のＮＦＣ通信装置（Ｒ／Ｗ、カード）を正常に動作させるためである（前述：図１０を参照のこと）。したがって、大アンテナ１２１の通信可能な範囲に、高速通信方式が異なる他の通信装置１００、旧来のＮＦＣ通信装置（Ｒ／Ｗ、カード）のいずれも存在しないことがあらかじめ分かっている場合や、あるいは、ＮＦＣ  ＩＰ−１仕様を完全に満たす必要がない通信システムの場合には、高速データ転送期間中に不必要なＮＦＣキャリア送出を停止するようにしてもよい。
【０２３４】
また、ＮＦＣ  ＩＰ−１仕様では、イニシエーターがＤＥＰ＿ＲＥＱコマンドを送信完了してからＤＥＰ＿ＲＥＳコマンドの受信を開始するまでのタイマアウト時間が規定されている。図２、図４、図６、図８にも示したように、このタイムアウト時間を利用して高速データ転送が行なわれる。
【０２３５】
ＮＦＣ  ＩＰ−１仕様によれば、このタイムアウト時間（ＲＷＴ：Ｒｅｓｐｏｎｓｅ  Ｗａｉｔｉｎｇ  Ｔｉｍｅ）は、ターゲットが送信するＡＴＲ＿ＲＥＳコマンド・パケット内のＴＯバイトで指定され、さらに、ターゲットがイニシエーターからの受信データを処理するのにＲＷＴよりも長い時間を必要とする場合にためにタイムアウト拡張（Ｔｉｍｅｏｕｔ  Ｅｘｔｅｎｓｉｏｎ）機能が備えられている。ＴＯバイトによる指定に、さらにタイムアウト拡張機能を利用することで、タイムアウト時間すなわち高速データ転送期間を、３００マイクロ秒から３０２秒の範囲で幅広く変更することができる。
【０２３６】
通常の高速通信の用途であれば３０２秒は十分な長さの通信期間と考えられるが、イニシエーターからターゲットへストリーミングを行なう通信用となどの場合には３０２秒でもなおも時間が不足することも想定される。タイムアウト時間が経過してもさらに高速データ転送を継続したい場合には、タイムアウトを回避するために、空のＤＥＲ＿ＲＥＱ／ＤＥＰ＿ＲＥＳコマンドの送受信を組み込んで、ＮＦＣ通信路上では正常な動作を見せかける必要がある。
【０２３７】
図１１には、アクティブ型ＮＦＣ相互通信とアクティブ型高速（Ｔｒａｎｓｆｅｒ  Ｊｅｔ）を組み合わせた通信システムにおいて、ＤＥＰフェーズを利用してイニシエーター１００Ａからターゲット１００Ｂへストリーミング（若しくはタイムアウト時間を越えた高速データ転送）を行なう際の、イニシエーター及びターゲットの大アンテナ１２１及び小アンテナ１４１の送出キャリア強度を示している。
【０２３８】
イニシエーター１００Ａ側では、まず、大アンテナ１２１ＡからＮＦＣキャリアを送出し、所定のガード時間経過後にＮＦＣ送信を開始し、ＤＥＰ＿ＲＥＱコマンドをＡＳＫ変調信号で送信する。このとき、ＤＥＰ＿ＲＥＱコマンド・パケット内のＴｒａｎｓｐｏｒｔ  Ｄａｔａ  Ｂｙｔｅｓ部分に、直後に行なわれる高速通信形態を指定する情報などを記載するようにしてもよい。
【０２３９】
そして、イニシエーター１００Ａは、ＤＥＰ＿ＲＥＱコマンドでの送信データの変調処理を完了すると、小アンテナ１４１Ａからターゲット１００Ｂに向けた高速データ送信を開始する。ＮＦＣ  ＩＰ−１規格ではタイムアウト時間は最大３０２秒であるが、イニシエーター１００Ａは、タイムアウト時間が経過した後も、高速データ転送を継続して行なう。
【０２４０】
また、イニシエーター１００Ａは、タイムアウト時間内に、大アンテナ１２１ＡからのＮＦＣキャリア送出を停止する。これに対し、ターゲット１００Ｂは、イニシエーター１００ＡからのＮＦＣキャリア送出が停止したことを検出すると、大アンテナ１２１ＢからＮＦＣキャリアを送出し、所定のガード時間経過後にＮＦＣ送信を開始し、ＤＥＰ＿ＲＥＳコマンドをＡＳＫ変調信号で送信する。但し、ＤＥＰ＿ＲＥＳコマンドはタイムアウト回避のための空の（見せかけの）ＤＥＰ＿ＲＥＳコマンドであることから、当該コマンド・パケット内のＴｒａｎｓｐｏｒｔ  Ｄａｔａ  Ｂｙｔｅｓ部分は空である（直後に行なわれる高速通信形態を指定する情報などを記載する必要はない）。
【０２４１】
その後、ターゲット１００Ｂが大アンテナ１２１ＢからのＮＦＣキャリア送出を停止する。イニシエーター１００Ａは、まだ高速データ転送（ストリーミング）を継続させる必要がある場合には、ターゲット１００ＢからのＮＦＣキャリア送出が停止したことを検出すると、大アンテナ１２１ＡからＮＦＣキャリアを送出し、所定のガード時間経過後にＮＦＣ送信を開始し、ＤＥＰ＿ＲＥＱコマンドをＡＳＫ変調信号で送信する。但し、ここで送信されるＤＥＰ＿ＲＥＱコマンドは高速データ転送を継続させるための空の（見せかけの）ＤＥＰ＿ＲＥＱコマンドであることから、当該コマンド・パケット内のＴｒａｎｓｐｏｒｔ  Ｄａｔａ  Ｂｙｔｅｓ部分は空である（直後に行なわれる高速通信形態を指定する情報などを記載する必要はない）。
【産業上の利用可能性】
【０２４２】
以上、特定の実施形態を参照しながら、本発明について詳解してきた。しかしながら、本発明の要旨を逸脱しない範囲で当業者が該実施形態の修正や代用を成し得ることは自明である。
【０２４３】
本明細書では、小アンテナを用いた高速通信として、反射波通信方式（Ｒｅｆｌｅｘ）、微弱ＵＷＢ方式（Ｔｒａｎｓｆｅｒ  Ｊｅｔ）の２例を挙げたが、本発明の要旨はこれに限定されるものではなく、ＮＦＣ通信と同様の非接触通信範囲において高速通信を実現するその他の任意の通信方式を適用することができる。
【０２４４】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【０２４５】
【図１】図１は、ＮＦＣ通信用の大アンテナの内側に高速通信用の小アンテナを装備したＮＦＣ通信装置からなる通信システムの構成例を示した図である。
【図２】図２は、パッシブ型ＮＦＣ相互通信とアクティブ型高速通信を組み合わせた通信システムにおける、ＤＥＰフェーズでのイニシエーター及びターゲットの大アンテナ１２１及び小アンテナ１４１の送出キャリア強度を示したチャートである。
【図３Ａ】図３Ａは、パッシブ型ＮＦＣ相互通信とアクティブ型高速通信を組み合わせた通信システムにおける、ＤＥＰフェーズでのファームウェア制御手順を説明するための図である。
【図３Ｂ】図３Ｂは、パッシブ型ＮＦＣ相互通信とアクティブ型高速通信を組み合わせた通信システムにおける、ＤＥＰフェーズでのファームウェア制御手順を説明するための図である。
【図３Ｃ】図３Ｃは、パッシブ型ＮＦＣ相互通信とアクティブ型高速通信を組み合わせた通信システムにおける、ＤＥＰフェーズでのファームウェア制御手順を説明するための図である。
【図３Ｄ】図３Ｄは、パッシブ型ＮＦＣ相互通信とアクティブ型高速通信を組み合わせた通信システムにおける、ＤＥＰフェーズでのファームウェア制御手順を説明するための図である。
【図３Ｅ】図３Ｅは、パッシブ型ＮＦＣ相互通信とアクティブ型高速通信を組み合わせた通信システムにおける、ＤＥＰフェーズでのファームウェア制御手順を説明するための図である。
【図３Ｆ】図３Ｆは、パッシブ型ＮＦＣ相互通信とアクティブ型高速通信を組み合わせた通信システムにおける、ＤＥＰフェーズでのファームウェア制御手順を説明するための図である。
【図３Ｇ】図３Ｇは、パッシブ型ＮＦＣ相互通信とアクティブ型高速通信を組み合わせた通信システムにおける、ＤＥＰフェーズでのファームウェア制御手順を説明するための図である。
【図３Ｈ】図３Ｈは、パッシブ型ＮＦＣ相互通信とアクティブ型高速通信を組み合わせた通信システムにおける、ＤＥＰフェーズでのファームウェア制御手順を説明するための図である。
【図３Ｉ】図３Ｉは、パッシブ型ＮＦＣ相互通信とアクティブ型高速通信を組み合わせた通信システムにおける、ＤＥＰフェーズでのファームウェア制御手順を説明するための図である。
【図４】図４は、アクティブ型ＮＦＣ相互通信とアクティブ型高速を組み合わせた通信システムにおける、ＤＥＰフェーズでのイニシエーター及びターゲットの大アンテナ１２１及び小アンテナ１４１の送出キャリア強度を示したチャートである。
【図５Ａ】図５Ａは、アクティブ型ＮＦＣ相互通信とアクティブ型高速通信を組み合わせた通信システムにおける、ＤＥＰフェーズでのファームウェア制御手順を説明するための図である。
【図５Ｂ】図５Ｂは、アクティブ型ＮＦＣ相互通信とアクティブ型高速通信を組み合わせた通信システムにおける、ＤＥＰフェーズでのファームウェア制御手順を説明するための図である。
【図５Ｃ】図５Ｃは、アクティブ型ＮＦＣ相互通信とアクティブ型高速通信を組み合わせた通信システムにおける、ＤＥＰフェーズでのファームウェア制御手順を説明するための図である。
【図５Ｄ】図５Ｄは、アクティブ型ＮＦＣ相互通信とアクティブ型高速通信を組み合わせた通信システムにおける、ＤＥＰフェーズでのファームウェア制御手順を説明するための図である。
【図５Ｅ】図５Ｅは、アクティブ型ＮＦＣ相互通信とアクティブ型高速通信を組み合わせた通信システムにおける、ＤＥＰフェーズでのファームウェア制御手順を説明するための図である。
【図５Ｆ】図５Ｆは、アクティブ型ＮＦＣ相互通信とアクティブ型高速通信を組み合わせた通信システムにおける、ＤＥＰフェーズでのファームウェア制御手順を説明するための図である。
【図５Ｇ】図５Ｇは、アクティブ型ＮＦＣ相互通信とアクティブ型高速通信を組み合わせた通信システムにおける、ＤＥＰフェーズでのファームウェア制御手順を説明するための図である。
【図５Ｈ】図５Ｈは、アクティブ型ＮＦＣ相互通信とアクティブ型高速通信を組み合わせた通信システムにおける、ＤＥＰフェーズでのファームウェア制御手順を説明するための図である。
【図５Ｉ】図５Ｉは、アクティブ型ＮＦＣ相互通信とアクティブ型高速通信を組み合わせた通信システムにおける、ＤＥＰフェーズでのファームウェア制御手順を説明するための図である。
【図５Ｊ】図５Ｊは、アクティブ型ＮＦＣ相互通信とアクティブ型高速通信を組み合わせた通信システムにおける、ＤＥＰフェーズでのファームウェア制御手順を説明するための図である。
【図５Ｋ】図５Ｋは、アクティブ型ＮＦＣ相互通信とアクティブ型高速通信を組み合わせた通信システムにおける、ＤＥＰフェーズでのファームウェア制御手順を説明するための図である。
【図６】図６は、パッシブ型ＮＦＣ相互通信と反射型高速通信を組み合わせた通信システムにおける、ＤＥＰフェーズでのイニシエーター及びターゲットの大アンテナ１２１及び小アンテナ１４１の送出キャリア強度を示したチャートである。
【図７Ａ】図７Ａは、パッシブ型ＮＦＣ相互通信と反射型高速通信を組み合わせた通信システムにおける、ＤＥＰフェーズでのファームウェア制御手順を説明するための図である。
【図７Ｂ】図７Ｂは、パッシブ型ＮＦＣ相互通信と反射型高速通信を組み合わせた通信システムにおける、ＤＥＰフェーズでのファームウェア制御手順を説明するための図である。
【図７Ｃ】図７Ｃは、パッシブ型ＮＦＣ相互通信と反射型高速通信を組み合わせた通信システムにおける、ＤＥＰフェーズでのファームウェア制御手順を説明するための図である。
【図７Ｄ】図７Ｄは、パッシブ型ＮＦＣ相互通信と反射型高速通信を組み合わせた通信システムにおける、ＤＥＰフェーズでのファームウェア制御手順を説明するための図である。
【図７Ｅ】図７Ｅは、パッシブ型ＮＦＣ相互通信と反射型高速通信を組み合わせた通信システムにおける、ＤＥＰフェーズでのファームウェア制御手順を説明するための図である。
【図７Ｆ】図７Ｆは、パッシブ型ＮＦＣ相互通信と反射型高速通信を組み合わせた通信システムにおける、ＤＥＰフェーズでのファームウェア制御手順を説明するための図である。
【図７Ｇ】図７Ｇは、パッシブ型ＮＦＣ相互通信と反射型高速通信を組み合わせた通信システムにおける、ＤＥＰフェーズでのファームウェア制御手順を説明するための図である。
【図７Ｈ】図７Ｈは、パッシブ型ＮＦＣ相互通信と反射型高速通信を組み合わせた通信システムにおける、ＤＥＰフェーズでのファームウェア制御手順を説明するための図である。
【図７Ｉ】図７Ｉは、パッシブ型ＮＦＣ相互通信と反射型高速通信を組み合わせた通信システムにおける、ＤＥＰフェーズでのファームウェア制御手順を説明するための図である。ムにおける、ＤＥＰフェーズでのファームウェア制御手順を説明するための図である。
【図８】図８は、アクティブ型ＮＦＣ相互通信と反射型高速を組み合わせた通信システムにおける、ＤＥＰフェーズでのイニシエーター及びターゲットの大アンテナ１２１及び小アンテナ１４１の送出キャリア強度を示したチャートである。
【図９Ａ】図９Ａは、アクティブ型ＮＦＣ相互通信と反射型高速通信を組み合わせた通信システムにおける、ＤＥＰフェーズでのファームウェア制御手順を説明するための図である。
【図９Ｂ】図９Ｂは、アクティブ型ＮＦＣ相互通信と反射型高速通信を組み合わせた通信システムにおける、ＤＥＰフェーズでのファームウェア制御手順を説明するための図である。
【図９Ｃ】図９Ｃは、アクティブ型ＮＦＣ相互通信と反射型高速通信を組み合わせた通信システムにおける、ＤＥＰフェーズでのファームウェア制御手順を説明するための図である。
【図９Ｄ】図９Ｄは、アクティブ型ＮＦＣ相互通信と反射型高速通信を組み合わせた通信システムにおける、ＤＥＰフェーズでのファームウェア制御手順を説明するための図である。
【図９Ｅ】図９Ｅは、アクティブ型ＮＦＣ相互通信と反射型高速通信を組み合わせた通信システムにおける、ＤＥＰフェーズでのファームウェア制御手順を説明するための図である。
【図９Ｆ】図９Ｆは、アクティブ型ＮＦＣ相互通信と反射型高速通信を組み合わせた通信システムにおける、ＤＥＰフェーズでのファームウェア制御手順を説明するための図である。
【図９Ｇ】図９Ｇは、アクティブ型ＮＦＣ相互通信と反射型高速通信を組み合わせた通信システムにおける、ＤＥＰフェーズでのファームウェア制御手順を説明するための図である。
【図９Ｈ】図９Ｈは、アクティブ型ＮＦＣ相互通信と反射型高速通信を組み合わせた通信システムにおける、ＤＥＰフェーズでのファームウェア制御手順を説明するための図である。
【図９Ｉ】図９Ｉは、アクティブ型ＮＦＣ相互通信と反射型高速通信を組み合わせた通信システムにおける、ＤＥＰフェーズでのファームウェア制御手順を説明するための図である。
【図９Ｊ】図９Ｊは、アクティブ型ＮＦＣ相互通信と反射型高速通信を組み合わせた通信システムにおける、ＤＥＰフェーズでのファームウェア制御手順を説明するための図である。
【図９Ｋ】図９Ｋは、アクティブ型ＮＦＣ相互通信と反射型高速通信を組み合わせた通信システムにおける、ＤＥＰフェーズでのファームウェア制御手順を説明するための図である。
【図９Ｌ】図９Ｌは、アクティブ型ＮＦＣ相互通信と反射型高速通信を組み合わせた通信システムにおける、ＤＥＰフェーズでのファームウェア制御手順を説明するための図である。
【図９Ｍ】図９Ｍは、アクティブ型ＮＦＣ相互通信と反射型高速通信を組み合わせた通信システムにおける、ＤＥＰフェーズでのファームウェア制御手順を説明するための図である。
【図１０】図１０は、本発明の係るＮＦＣ通信装置の大アンテナの通信可能範囲で、他の通信システムが正常に動作する様子を示した図である。
【図１１】図１１は、アクティブ型ＮＦＣ相互通信とアクティブ型高速を組み合わせた通信システムにおいて、ＤＥＰフェーズを利用してタイムアウト時間を越えた高速データ転送を行なう際の、イニシエーター及びターゲットの大アンテナ１２１及び小アンテナ１４１の送出キャリア強度を示したチャートである。
【図１２】図１２は、ＮＦＣ  ＩＰ−１に準拠したパッシブ型相互通信システムの構成例を模式的に示した図である。
【図１３】図１３は、パッシブ型相互通信のコマンド状態遷移図である。
【図１４Ａ】図１４Ａは、パッシブ型ＮＦＣ相互通信システムにおける、ＤＥＰフェーズでのファームウェア制御手順を説明するための図である。
【図１４Ｂ】図１４Ｂは、パッシブ型ＮＦＣ相互通信システムにおける、ＤＥＰフェーズでのファームウェア制御手順を説明するための図である。
【図１４Ｃ】図１４Ｃは、パッシブ型ＮＦＣ相互通信システムにおける、ＤＥＰフェーズでのファームウェア制御手順を説明するための図である。
【図１５】図１５は、アクティブ型相互通信のコマンド状態遷移図である。
【図１６Ａ】図１６Ａは、アクティブ型ＮＦＣ相互通信システムにおける、ＤＥＰフェーズでのファームウェア制御手順を説明するための図である。
【図１６Ｂ】図１６Ｂは、アクティブ型ＮＦＣ相互通信システムにおける、ＤＥＰフェーズでのファームウェア制御手順を説明するための図である。
【図１６Ｃ】図１６Ｃは、アクティブ型ＮＦＣ相互通信システムにおける、ＤＥＰフェーズでのファームウェア制御手順を説明するための図である。
【図１６Ｄ】図１６Ｄは、アクティブ型ＮＦＣ相互通信システムにおける、ＤＥＰフェーズでのファームウェア制御手順を説明するための図である。
【図１６Ｅ】図１６Ｅは、アクティブ型ＮＦＣ相互通信システムにおける、ＤＥＰフェーズでのファームウェア制御手順を説明するための図である。
【図１６Ｆ】図１６Ｆは、アクティブ型ＮＦＣ相互通信システムにおける、ＤＥＰフェーズでのファームウェア制御手順を説明するための図である。
【図１６Ｇ】図１６Ｇは、アクティブ型ＮＦＣ相互通信システムにおける、ＤＥＰフェーズでのファームウェア制御手順を説明するための図である。
【図１７】図１７は、データ交換に使われるＤＥＰ＿ＲＥＱ／ＤＥＰ＿ＲＥＳコマンドのパケット構造を示した図である。
【図１８】図１８は、アクティブ型相互通信における衝突回避シーケンスを示した図である。
【図１９】図１９は、アクティブ型相互通信におけるイニシエーターとターゲットの動作シーケンスを模式的に示した図である。
【符号の説明】
【０２４６】
１００…ＮＦＣ通信装置
１１０…Ｒ／Ｗ制御部
１１１…内部バス
１２０…ＮＦＣ通信処理部
１２１…大アンテナ
１２２…メモリー・インターフェース
１３０…ＮＦＣ通信用小容量メモリー
１４０…高速通信処理部
１４１…小アンテナ
１４２…高速メモリー・インターフェース
１５０…高速通信用大容量バッファー
１６０…ホスト機器
１６１…ホスト・インターフェース
【図１】
2010130242.tif 000006
【図１０】
2010130242.tif 000007
【図１２】
2010130242.tif 000008
【図１３】
2010130242.tif 000009
【図１５】
2010130242.tif 000010
【図１７】
2010130242.tif 000011
【図１８】
2010130242.tif 000012
【図１９】
2010130242.tif 000013
【図２】
2010130242.tif 000014
【図３Ａ】
2010130242.tif 000015
【図３Ｂ】
2010130242.tif 000016
【図３Ｃ】
2010130242.tif 000017
【図３Ｄ】
2010130242.tif 000018
【図３Ｅ】
2010130242.tif 000019
【図３Ｆ】
2010130242.tif 000020
【図３Ｇ】
2010130242.tif 000021
【図３Ｈ】
2010130242.tif 000022
【図３Ｉ】
2010130242.tif 000023
【図４】
2010130242.tif 000024
【図５Ａ】
2010130242.tif 000025
【図５Ｂ】
2010130242.tif 000026
【図５Ｃ】
2010130242.tif 000027
【図５Ｄ】
2010130242.tif 000028
【図５Ｅ】
2010130242.tif 000029
【図５Ｆ】
2010130242.tif 000030
【図５Ｇ】
2010130242.tif 000031
【図５Ｈ】
2010130242.tif 000032
【図５Ｉ】
2010130242.tif 000033
【図５Ｊ】
2010130242.tif 000034
【図５Ｋ】
2010130242.tif 000035
【図６】
2010130242.tif 000036
【図７Ａ】
2010130242.tif 000037
【図７Ｂ】
2010130242.tif 000038
【図７Ｃ】
2010130242.tif 000039
【図７Ｄ】
2010130242.tif 000040
【図７Ｅ】
2010130242.tif 000041
【図７Ｆ】
2010130242.tif 000042
【図７Ｇ】
2010130242.tif 000043
【図７Ｈ】
2010130242.tif 000044
【図７Ｉ】
2010130242.tif 000045
【図８】
2010130242.tif 000046
【図９Ａ】
2010130242.tif 000047
【図９Ｂ】
2010130242.tif 000048
【図９Ｃ】
2010130242.tif 000049
【図９Ｄ】
2010130242.tif 000050
【図９Ｅ】
2010130242.tif 000051
【図９Ｆ】
2010130242.tif 000052
【図９Ｇ】
2010130242.tif 000053
【図９Ｈ】
2010130242.tif 000054
【図９Ｉ】
2010130242.tif 000055
【図９Ｊ】
2010130242.tif 000056
【図９Ｋ】
2010130242.tif 000057
【図９Ｌ】
2010130242.tif 000058
【図９Ｍ】
2010130242.tif 000059
【図１１】
2010130242.tif 000060
【図１４Ａ】
2010130242.tif 000061
【図１４Ｂ】
2010130242.tif 000062
【図１４Ｃ】
2010130242.tif 000063
【図１６Ａ】
2010130242.tif 000064
【図１６Ｂ】
2010130242.tif 000065
【図１６Ｃ】
2010130242.tif 000066
【図１６Ｄ】
2010130242.tif 000067
【図１６Ｅ】
2010130242.tif 000068
【図１６Ｆ】
2010130242.tif 000069
【図１６Ｇ】
2010130242.tif 000070